(57)【要約】（ａ）白色無香；白色芳香；着色無香；着色芳香；浸染無香；または浸染芳香である、ロウソクのワックスを、ｓ−トリアジンＵＶ吸収剤、さらにヒンダードアミン、場合によりＵＶ吸収剤および／または酸化防止剤のようなさらなる成分を組み込むことにより変色および退色を有効に安定化する。【特許請求の範囲】
【請求項１】
（ａ）白色無香；白色芳香；着色無香；着色芳香；浸染無香；または浸染芳香である、ロウソクのワックスと、
（ｂ）安定剤として、
（ｉ）式Ｉ、ＩＩ、ＩＩＩ、ＩＶ、ＶまたはＶＩ：
【化１】
2004532306.tif 000016
2004532306.tif 000017
［式中、
ＸおよびＹは、独立に、フェニル、ナフチル、あるいは１〜３個の、炭素原子１〜６個のアルキル、ハロゲン、ヒドロキシ、炭素原子１〜６個のアルコキシ、またはそれらの混合物により置換されている前記フェニルまたは前記ナフチルであり；あるいはＸおよびＹは、独立に、Ｚ1またはＺ2であり；
Ｒ1は、水素、直鎖もしくは分枝鎖の炭素原子１〜２４個のアルキル、炭素原子５〜１２個のシクロアルキル、炭素原子７〜１５個のフェニルアルキル、ハロゲン、−ＳＲ3、−ＳＯＲ3、または−ＳＯ2Ｒ3；あるいは１〜３個の、ハロゲン、−Ｒ4、−ＯＲ5、−Ｎ（Ｒ5）2、−ＣＯＲ5、−ＣＯＯＲ5、−ＯＣＯＲ5、−ＣＮ、−ＮＯ2、−ＳＲ5、−ＳＯＲ5、−ＳＯ2Ｒ5もしくは−Ｐ（Ｏ）（ＯＲ5）2、モルホリニル、ピペリジニル、２，２，６，６−テトラメチルピペリジニル、ピペラジニルもしくはＮ−メチルピペリジニル基またはそれらの組み合わせで置換されている前記アルキル、前記シクロアルキルまたは前記フェニルアルキル；あるいは１〜４個の、フェニレン、−Ｏ−、−ＮＲ5−、−ＣＯＮＲ5−、−ＣＯＯ−、−ＯＣＯ−もしくは−ＣＯ基またはそれらの組み合わせで中断されている前記アルキルまたは前記シクロアルキル；あるいは上記の基の組み合わせで置換および中断されている前記アルキルまたは前記シクロアルキルであり；
Ｒ3は、炭素原子１〜２０個のアルキル、炭素原子３〜１８個のアルケニル、炭素原子５〜１２個のシクロアルキル、炭素原子７〜１５個のフェニルアルキル、炭素原子６〜１０個のアリールまたは１〜２個の炭素原子１〜４個のアルキルで置換されている前記アリールであり；
Ｒ4は、炭素原子６〜１０個のアリールまたは１〜３個の、ハロゲン、炭素原子１〜８個のアルキル、炭素原子１〜８個のアルコキシもしくはそれらの組み合わせで置換されている前記アリール；炭素原子５〜１２個のシクロアルキル；炭素原子７〜１５個のフェニルアルキル、または１〜３個の、ハロゲン、炭素原子１〜８個のアルキル、炭素原子１〜８個のアルコキシもしくはそれらの組み合わせでフェニル環が置換されている前記フェニルアルキル；あるいは直鎖もしくは分枝鎖の炭素原子２〜１８個のアルケニルであり；
Ｒ5は、Ｒ4と同義であり；あるいはＲ5はまた、水素または直鎖もしくは分枝鎖の炭素原子１〜２４個のアルキル、炭素原子２〜２４個のアルケニル；あるいはＲ5は、式：
【化２】
2004532306.tif 000018
（Ｔは、水素、オキシル、ヒドロキシル、−ＯＴ1、炭素原子１〜２４個のアルキル、１〜３個のヒドロキシで置換されている前記アルキル；ベンジルまたは炭素原子２〜１８個のアルカノイルであり；
Ｔ1は、炭素原子１〜２４個のアルキル、炭素原子５〜１２個のシクロアルキル、炭素原子２〜２４個のアルケニル、炭素原子５〜１２個のシクロアルケニル、炭素原子７〜１５個のフェニルアルキル、炭素原子７〜１２個の飽和もしくは不飽和の二環性もしくは三環性炭化水素の基または炭素原子６〜１０個のアリールあるいは１〜３個の炭素原子１〜４個のアルキルで置換されている前記アリール）で示される基であり）；
Ｒ2は、水素、直鎖もしくは分枝鎖の炭素原子１〜２４個のアルキルまたは炭素原子５〜１２個のシクロアルキル；あるいは１〜４個の、ハロゲン、エポキシ、グリシジルオキシ、フリルオキシ、−Ｒ4、−ＯＲ5、−Ｎ（Ｒ5）2、−ＣＯＮ（Ｒ5）2、−ＣＯＲ5、−ＣＯＯＲ5、−ＯＣＯＲ5、−ＯＣＯＣ（Ｒ5）＝Ｃ（Ｒ5）2、−Ｃ（Ｒ5）＝ＣＣＯＯＲ5、−ＣＮ、−ＮＣＯ、もしくは
【化３】
2004532306.tif 000019
またはそれらの組み合わせで置換されている前記アルキルまたは前記シクロアルキル；あるいは１〜４個の、エポキシ、−Ｏ−、−ＮＲ5−、−ＣＯＮＲ5−、−ＣＯＯ−、−ＯＣＯ−、−ＣＯ−、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−、フェニレンもしくはフェニレン−Ｇ−フェニレン（式中、Ｇは−Ｏ−、−Ｓ−、−ＳＯ2−、−ＣＨ2−または−Ｃ（ＣＨ3）2−）またはそれらの組み合わせで中断されている前記アルキルまたは前記シクロアルキル、あるいは上記の基の組み合わせで置換および中断されている前記アルキルまたは前記シクロアルキルであり；あるいはＲ2は、−ＳＯ2Ｒ3または−ＣＯＲ6であり；
Ｒ6は、直鎖もしくは分枝鎖の炭素原子１〜１８個のアルキル、直鎖もしくは分枝鎖の炭素原子２〜１２個のアルケニル、フェノキシ、炭素原子１〜１２個のアルキルアミノ、炭素原子６〜１２個のアリールアミノ、−Ｒ7ＣＯＯＨまたは−ＮＨ−Ｒ8−ＮＣＯであり；
Ｒ7は、炭素原子２〜１４個のアルキレンまたはフェニレンであり；
Ｒ8は、炭素原子２〜２４個のアルキレン、フェニレン、トリレン、ジフェニルメタンまたは基：
【化４】
2004532306.tif 000020
であり；
Ｒ1、Ｒ1′およびＲ1″は、同一であるかまたは異なり、そしてＲ1と同義であり；
Ｒ2、Ｒ2′およびＲ2″は、同一であるかまたは異なり、そしてＲ2と同義であり；
Ｘ、Ｘ′、ＹおよびＹ′は、同一であるかまたは異なり、そしてＸおよびＹと同義であり；
ｔは、０〜９であり；
Ｌは、直鎖もしくは分枝鎖の炭素原子１〜１２個のアルキレン、炭素原子５〜１２個のシクロアルキレン、またはシクロヘキシレンもしくはフェニレンで置換もしくは中断されている前記アルキレンであり；あるいはＬはベンジリデン；あるいはＬは、−Ｓ−、−Ｓ−Ｓ−、−Ｓ−Ｅ−Ｓ−、−ＳＯ−、−ＳＯ2−、−ＳＯ−Ｅ−ＳＯ−、−ＳＯ2−Ｅ−ＳＯ2−、または−ＣＨ2−ＮＨ−Ｅ−ＮＨ−ＣＨ2−であり；
Ｅは、炭素原子１〜１２個のアルキレン、炭素原子５〜１２個のシクロアルキレン、または炭素原子５〜１２個のシクロアルキレンで中断または終端されている前記アルキレンであり；
ｎは、２，３または４であり；
ｎが２であるとき、Ｑは、直鎖もしくは分枝鎖の炭素原子２〜１６個のアルキレン；あるいは１〜３個のヒドロキシ基で置換されている前記アルキレン；あるいは１〜３個の、−ＣＨ＝ＣＨ−または−Ｏ−で中断されている前記アルキレン；あるいは上記の基の組み合わせで置換および中断されている前記アルキレンであり；あるいはＱは、キシリレンまたは基−ＣＯＮＨ−Ｒ8−ＮＨＣＯ−、−ＣＨ2ＣＨ（ＯＨ）ＣＨ2Ｏ−Ｒ9−ＯＣＨ2ＣＨ（ＯＨ）ＣＨ2−、−ＣＯ−Ｒ10−ＣＯ−、または−（ＣＨ2）mＣＯＯ−Ｒ11−ＯＯＣ−（ＣＨ2）m−（式中、ｍは１〜３である）；あるいはＱは、
【化５】
2004532306.tif 000021
であり；
Ｒ9は、炭素原子２〜５０個のアルキレン；あるいは１〜１０個の、−Ｏ−、フェニレンまたは基−フェニレン−Ｇ−フェニレン（式中、Ｇは−Ｏ−、−Ｓ−、−ＳＯ2−、−ＣＨ2−または−Ｃ（ＣＨ3）2−である）で中断されている前記アルキレンであり；
Ｒ10は、炭素原子２〜１０個のアルキレン、または１〜４個の、−Ｏ−、−Ｓ−もしくは−ＣＨ＝ＣＨ−で中断されている前記アルキレンであり；あるいはＲ10は炭素原子６〜１２個のアリーレンであり；
Ｒ11は、炭素原子２〜２０個のアルキレンまたは１〜８個の−Ｏ−で中断されている前記アルキレンであり；
ｎが３であるとき、Ｑは、基−［（ＣＨ2）mＣＯＯ］3−Ｒ12（式中、ｍは１〜３であり、そしてＲ12は炭素原子３〜１２個のアルカントリイルである）であり；
ｎが４であるとき、Ｑは、基−［（ＣＨ2）mＣＯＯ］4−Ｒ13（式中、ｍは１〜３であり、およびＲ14は炭素原子４〜１２個のアルカンテトライルである）であり；
Ｚ1は、式：
【化６】
2004532306.tif 000022
で示される基であり；
Ｚ2は、式：
【化７】
2004532306.tif 000023
で示される基である
（式中、
ｒ1およびｒ2は、互いに独立に、０または１であり；
Ｒ14、Ｒ15、Ｒ16、Ｒ17、Ｒ18、Ｒ19、Ｒ20、Ｒ21、Ｒ22およびＲ23は、互いに独立に、水素、ヒドロキシ、シアノ、炭素原子１〜２０個のアルキル、炭素原子１〜２０個のアルコキシ、炭素原子７〜１５個のフェニルアルキル、炭素原子５〜１２個のシクロアルキル、炭素原子５〜１２個のシクロアルコキシ、ハロゲン、炭素原子１〜５個のハロアルキル、スルホ、カルボキシ、炭素原子２〜１２個のアシルアミノ、炭素原子２〜１２個のアシルオキシ、炭素原子２〜１２個のアルコキシカルボニル、またはアミノカルボニルであり；あるいはＲ17およびＲ18またはＲ22およびＲ23は、それらが結合しているフェニル基と一緒になって、１〜３個の、−Ｏ−または−ＮＲ5−で中断されている環状基である）］で示されるｓ−トリアジンＵＶ吸収剤；および
（ｉｉ）ピペリジン系ヒンダードアミン
の組み合わせであって、（ｉ）の（ｉｉ）に対する重量比が１０：１〜１：１０である組み合わせと、
を含む組成物。
【請求項２】
成分（ｂ）（ｉ）の化合物において、
ＸおよびＹは、同一であるかまたは異なり、そしてフェニル、ナフチル、あるいは１〜３個の、炭素原子１〜６個のアルキル、ハロゲン、ヒドロキシまたは炭素原子１〜１２個のアルコキシで置換されている前記フェニルまたは前記ナフチル；あるいはＺ1またはＺ2であり；
Ｌは、直鎖もしくは分枝鎖の炭素原子１〜１２個のアルキレン、炭素原子５〜１２個のシクロアルキレン、またはシクロヘキシレンもしくはフェニレンで置換もしくは中断されているアルキレンであり；
Ｒ1は、水素、直鎖もしくは分枝鎖の炭素原子１〜２４個のアルキル、炭素原子５〜１２個のシクロアルキル、炭素原子７〜１５個のフェニルアルキルまたはハロゲンであり；
Ｒ2は、水素、直鎖もしくは分枝鎖の炭素原子１〜２４個のアルキルまたは炭素原子５〜１２個のシクロアルキル；あるいは１〜３個の、−Ｒ4、−ＯＲ5、−ＣＯＯＲ5、−ＯＣＯＲ5またはそれらの組み合わせで置換されている前記アルキルまたは前記シクロアルキル；あるいは１〜３個の、エポキシ、−Ｏ−、−ＣＯＯ−、−ＯＣＯ−または−ＣＯ−で中断されている前記アルキルまたはシクロアルキル；あるいは上記の基の組み合わせで置換および中断されている前記アルキルであり；
Ｒ4は、炭素原子６〜１０個のアリール、または１〜３個の、ハロゲン、炭素原子１〜８個のアルキル、炭素原子１〜８個のアルコキシもしくはそれらの組み合わせで置換されている前記アリール；炭素原子５〜１２個のシクロアルキル；炭素原子７〜１５個のフェニルアルキル、または１〜３個の、ハロゲン、炭素原子１〜８個のアルキル、炭素原子１〜８個のアルコキシもしくはそれらの組み合わせでフェニル環が置換されている前記フェニルアルキルであり；
Ｒ5は、Ｒ4と同義であり；あるいはＲ5は、また、水素、直鎖もしくは分枝鎖の炭素原子１〜２４個のアルキルであり；
Ｚ1は、式：
【化８】
2004532306.tif 000024
で示される基であり；
Ｚ2は、式：
【化９】
2004532306.tif 000025
で示される基である
（式中、
ｒ1およびｒ2は各々１であり；そして
Ｒ14、Ｒ15、Ｒ16、Ｒ17、Ｒ18、Ｒ19、Ｒ20、Ｒ21、Ｒ22およびＲ23は、互いに独立に、水素、ヒドロキシ、シアノ、炭素原子１〜２０個のアルキル、炭素原子１〜２０個のアルコキシ、炭素原子７〜１５個のフェニルアルキル、炭素原子５〜１２個のシクロアルキル、炭素原子５〜１２個のシクロアルコキシ、ハロゲン、炭素原子１〜５個のハロアルキル、スルホ、カルボキシ、炭素原子２〜１２個のアシルアミノ、炭素原子２〜１２個のアシルオキシ、または炭素原子２〜１２個のアルコキシカルボニルあるいはアミノカルボニルである）、
請求項１に記載の組成物。
【請求項３】
成分（ｂ）（ｉ）の化合物が、式Ｉのｓ−トリアジンＵＶ吸収剤であり、式中、
ＸおよびＹは、同一であるかまたは異なり、フェニル、または１〜３個の炭素原子１〜６個のアルキルで置換されている前記フェニル；Ｚ1またはＺ2であり；
Ｒ1は、水素または炭素原子７〜１５個のフェニルアルキルであり；
Ｒ2は、水素、直鎖もしくは分枝鎖の炭素原子１〜１８個のアルキル；あるいは１〜３個の、−Ｒ4、−ＯＲ5またはそれらの混合物で置換されている前記アルキル；あるいは１〜８個の、−Ｏ−または−ＣＯＯ−で中断されている前記アルキル；あるいは上記の基の組み合わせで置換および中断されている前記アルキルであり；
Ｒ4は、炭素原子６〜１０個のアリールであり；
Ｒ5は水素であり；そして
Ｒ14、Ｒ15、Ｒ16、Ｒ17、Ｒ18、Ｒ19、Ｒ20、Ｒ21、Ｒ22およびＲ23は各々水素である、
請求項２に記載の組成物。
【請求項４】
成分（ｂ）（ｉ）の化合物が、
（ａ）２，４−ビス［２−ヒドロキシ−４−（３−ブチルオキシ−２−ヒドロキシプロポキシ）フェニル］−６−メシチル−ｓ−トリアジン；
（ｂ）２，４−ビス（２，４−ジメチルフェニル）−６−（２−ヒドロキシ−４−オクチルオキシフェニル）−ｓ−トリアジン；
（ｃ）２，４−ジフェニル−６−（２−ヒドロキシ−４−ヘキシルオキシフェニル）−ｓ−トリアジン；
（ｄ）２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン；
（ｅ）２，４−ビス（２，４−ジメチルフェニル）−６−［２−ヒドロキシ−４−（３−ド−／トリ−デシルオキシ−２−ヒドロキシプロポキシ）−５−α−クミルフェニル］−ｓ−トリアジン；
（ｆ）２，４，６−トリス（２，４−ジヒドロキシフェニル）−ｓ−トリアジンとα−ハロプロピオン酸イソオクチルとの反応生成物；
（ｇ）２−（２，４−ジブチルオキシフェニル）−４，６−ビス（２−ヒドロキシ−４−ブチルオキシフェニル）−ｓ−トリアジン；
（ｈ）２，４−ビス（４−ビフェニリル）−６−（２−ヒドロキシ−４−オクチルオキシカルボニルエチリデンオキシフェニル）−ｓ−トリアジン；
（ｉ）２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；
（ｊ）２，４−ビス（２，４−ジメチルフェニル）−６−［２−ヒドロキシ−４−（３−ベンジルオキシ−２−ヒドロキシプロピルオキシ）フェニル］−ｓ−トリアジン；
（ｋ）２，４−ビス（２−ヒドロキシ−４−ブチルオキシフェニル）−６−（２，４−ジ−ブチルオキシフェニル）−ｓ−トリアジン；
（ｌ）２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン（＊はオクチルオキシ、ノニルオキシおよびデシルオキシ基の混合物を示す）；
（ｍ）メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝、５：４：１の比で３：５′、５：５′および３：３′位で架橋したメチレン架橋二量体混合物；
（ｎ）２，４，６−トリス（２−ヒドロキシ−４−イソオクチルオキシカルボニルイソプロピリデンオキシフェニル）−ｓ−トリアジン；
（ｏ）２，４−ビス（２，４−ジメチルフェニル）−６−（２−ヒドロキシ−４−ヘキシルオキシ−５−α−クミルフェニル）−ｓ−トリアジン；または
（ｐ）２，４，６−トリス［２−ヒドロキシ−４−（３−ｓｅｃ−ブチルオキシ−２−ヒドロキシプロピルオキシ）フェニル］−ｓ−トリアジン、
であるｓ−トリアジンＵＶ吸収剤である、請求項１に記載の組成物。
【請求項５】
ロウソクのワックス中のｓ−トリアジンＵＶ吸収剤（ｉ）とヒンダードアミン（ｉｉ）の量が、ワックスを基準にして０．０１〜１０重量％である、請求項１に記載の組成物。
【請求項６】
成分（ｂ）（ｉｉ）のヒンダードアミンが、
（ａ）セバシン酸ビス（２，２，６，６−テトラメチルピペリジン−４−イル）、
（ｂ）セバシン酸ビス（１，２，２，６，６−ペンタメチルピペリジン−４−イル）、
（ｃ）（３，５−ジ−ｔｅｒｔ−ブチル−４−ヒドロキシベンジル）ブチルマロン酸ジ（１，２，２，６，６−ペンタメチルピペリジン−４−イル）、
（ｄ）４−ベンゾイルオキシ−２，２，６，６−テトラメチルピペリジン、
（ｅ）４−ステアリルオキシ−２，２，６，６−テトラメチルピペリジン、
（ｆ）ニトリロトリ酢酸トリス（２，２，６，６−テトラメチルピペリジン−４−イル）、
（ｇ）２，４−ジクロロ−６−ｔｅｒｔ−オクチルアミノ−ｓ−トリアジンと４，４′−ヘキサメチレンビス（アミノ−２，２，６，６−テトラメチルピペリジン）との重縮合生成物、
（ｈ）１−（２−ヒドロキシエチル）−２，２，６，６−テトラメチル−４−ヒドロキシピペリジンとコハク酸との重縮合生成物、
（ｉ）４，４′−ヘキサメチレンビス（アミノ−２，２，６，６−テトラメチルピペリジン）と１，２−ジブロモエタンとの重縮合生成物、
（ｊ）１，２，３，４−ブタンテトラカルボン酸テトラキス（２，２，６，６−テトラメチルピペリジン−４−イル）、
（ｋ）１，２，３，４−ブタンテトラカルボン酸テトラキス（１，２，２，６，６−ペンタメチルピペリジン−４−イル）、
（ｌ）２，４−ジクロロ−６−モルホリノ−ｓ−トリアジンと４，４′−ヘキサメチレンビス（アミノ−２，２，６，６−テトラメチルピペリジン）との重縮合生成物、
（ｍ）Ｎ，Ｎ′，Ｎ″，Ｎ″′−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン、
（ｎ）ビス（２，２，６，６−テトラメチルピペリジン−４−カルボン酸）オクタメチレン、
（ｏ）Ｎ−２，２，６，６−テトラメチルピペリジン−４−イル−ｎ−ドデシルスクシンイミド、
（ｐ）Ｎ−１，２，２，６，６−ペンタメチルピペリジン−４−イル−ｎ−ドデシルスクシンイミド、
（ｑ）Ｎ−１−アセチル−２，２，６，６−テトラメチルピペリジン−４−イル−ｎ−ドデシルスクシンイミド、
（ｒ）４−Ｃ15〜Ｃ17アルカノイルオキシ−２，２，６，６−テトラメチルピペリジン、
（ｓ）２，４−ジクロロ−６−シクロヘキシルアミノ−ｓ−トリアジンと４，４′−ヘキサメチレンビス（アミノ−２，２，６，６−テトラメチルピペリジン）との重縮合生成物、
（ｔ）１，５−ビス（２，２，６，６−テトラメチルピペリジン−４−イル）−１，５−ジアザ−４−オキソプロパン、
（ｕ）メタクリル酸メチル、アクリル酸エチルおよびアクリル酸２，２，６，６−テトラメチルピペリジン−４−イルのコポリマー、
（ｖ）Ｎ−オクタデシルマレイミド、スチレンおよびＮ−（２，２，６，６−テトラメチルピペリジン−４−イル）マレイミドのコポリマー、
（ｗ）イソシアヌル酸１，３，５−トリス［３−（２，２，６，６−ピペリジン−４−イルアミノ）−２−ヒドロキシ−プロピル）、
（ｘ）Ｎ−［２−（２，２，６，６−テトラメチルピペリジン−４−イル）オキサルアミド−１−イル］マレイミドに由来する単位を含有するオレフィンコポリマー、
（ｙ）２，２，４，４−テトラメチル−７−オキサ−３，２０−ジアザ−２１−オキソ−ジスピロ［５，１，１１，２］ヘンエイコサン、
（ｚ）３−（２，２，４，４−テトラメチル−７−オキサ−３，２０−ジアザ−２１−オキソ−ジスピロ［５，１，１１，２］ヘンエイコサン−２０−イル）プロピオン酸Ｃ12〜Ｃ14アルキル、
（ａａ）エピクロロヒドリンと２，２，４，４−テトラメチル−７−オキサ−３，２０−ジアザ−２１−オキソ−ジスピロ［５，１，１１，２］ヘンエイコサンとの反応生成物、
（ｂｂ）ブタンテトラカルボン酸１，３−ジ（２，２，６，６−テトラメチルピペリジン−４−イル）２，４−ジトリデシル、
（ｃｃ）ブタンテトラカルボン酸１，３−ジ（１，２，２，６，６−ペンタメチルピペリジン−４−イル）２，４−ジトリデシル、
（ｄｄ）３，９−ビス（１，１−ジメチル−２−ヒドロキシエチル）−２，４，８，１０−テトラオキサスピロ［５．５］ウンデカン、１，２，３，４−ブタンテトラカルボン酸テトラメチルおよび２，２，６，６−テトラメチル−４−ヒドロキシピペリジンの重縮合生成物、
（ｅｅ）３，９−ビス（１，１−ジメチル−２−ヒドロキシエチル）−２，４，８，１０−テトラオキサスピロ［５．５］ウンデカン、１，２，３，４−ブタンテトラカルボン酸テトラメチルおよび１，２，２，６，６−ペンタメチル−４−ヒドロキシピペリジンの重縮合生成物、
（ｆｆ）１，４−ビス（２，２，６，６−テトラメチルピペリジン−４−イル）−２，２−ジメチル−１，４−ジアザ−４−オキソプロパン、
（ｇｇ）４−アミノ−２，２，６，６−テトラメチルピペリジンとテトラメチロールアセチレンジウレアとの反応生成物、
（ｈｈ）１，６−ヘキサメチレンビス［Ｎ−ホルミル−Ｎ−（２，２，６，６−テトラメチルピペリジン−４−イル）アミン］、
（ｉｉ）Ｎ−（２，２，６，６−テトラメチルピペリジン−４−イル）マレイミドとＣ20〜Ｃ24−α−オレフィンとのコポリマー、
（ｊｊ）ポリ［３−（２，２，６，６−テトラメチルピペリジン−４−イルオキシ）プロピル−メチル−シロキサン］、
（ｋｋ）２，４−ジクロロ−６−［Ｎ−ブチル−Ｎ−（２，２，６，６−テトラメチルピペリジン−４−イル）アミノ］−ｓ−トリアジンと１，１０−ジアミノ−４，７−ジアザデカンとの重縮合生成物、または
（ｌｌ）３−（２，２，４，４−テトラメチル−７−オキサ−３，２０−ジアザ−２１−オキソ−ジスピロ［５，１，１１，２］ヘンエイコサン−２０−イル）プロピオン酸ドデシル、
である、請求項１に記載の組成物。
【請求項７】
成分（ｂ）（ｉｉｉ）として、ベンゾトリアゾール、ベンゾフェノン、α−シアノアクリレート、オキサニリド、シンナメート、マロネート、ベンゾエートもしくはサリシレート、またはそれらの混合物であるさらなるＵＶ吸収剤を、追加的に含有する、請求項１に記載の組成物。
【請求項８】
組成物が、フェノール系酸化防止剤、ホスファイト、ニトロン、アミンオキシドもしくはヒドロキシルアミン、またはそれらの混合物である酸化防止剤を、追加的に含有する、請求項１に記載の組成物。
【請求項９】
請求項１の組成物から製造されるロウソク。
【請求項１０】
白色無香；白色芳香；着色無香；着色芳香；浸染無香；または浸染芳香である、ロウソクのワックスを退色に対して安定化させる方法であって、
（ｉ）請求項１で定義された式Ｉ、ＩＩ、ＩＩＩ、ＩＶ、ＶまたはＶＩのｓ−トリアジンＵＶ吸収剤と、
（ｉｉ）ピペリジン系ヒンダードアミンと、
の組み合わせを組み込み、（ｉ）の（ｉｉ）に対する重量比が１０：１〜１：１０である方法。
【請求項１１】
ロウソクのワックスを変色および退色に対して安定化させるための、請求項１で定義された式Ｉ、ＩＩ、ＩＩＩ、ＩＶ、ＶまたはＶＩのｓ−トリアジンＵＶ吸収剤と、ピペリジン系ヒンダードアミンとの組み合わせの使用。
【発明の詳細な説明】
【技術分野】
【０００１】
本発明は、その中にｓ−トリアジンＵＶ吸収剤ならびに標準的なヒンダードアミンおよび／または酸化防止剤を組み込むことにより変色および退色に対して有効に安定化された、白色、着色、浸染、無香、および／または芳香であるロウソクのワックスに関する。
発明の背景
【０００２】
ロウソクは、紀元前８世紀にさかのぼり、何世紀にもわたって知られている。ロウソクの性質は、ウルマン工業化学百科事典（Ullman's Encyclopedia of Industrial Chemistry）Ａ５巻２９〜３０頁に記載されていて、そこには、ロウソクは基本材料として、パラフィン、蜜蝋およびステアリンから製造される、また多くの添加物も存在しうることが示されている。
【０００３】
ロウソクやワックスの重要性が高まるにつれて、上記の材料を安定化する方法が注目されたことは、驚くようなことではない。１９９４年のヒューストンでの全国ロウソク協会会議（National Candle Association Meeting）において、R. Van der Vennetが「ワックス中の酸化防止剤−ＢＨＴの代替（Antioxidants in Wax - Replacement BHT）」と題する論文を発表し、ワックスが酸化された際の黄変を防止するための酸化防止剤としてビタミンＥ（トコフェロール）を使用することを大いに推奨した。ＷＯ９４／１３７３６は同じ発明を記載している。
【０００４】
ＥＰ３５９，４８８Ａ３およびＥＰ１３３，９６４Ｂ１には、化粧品中で使用される安定化ワックスが記載されており、そのワックスはロウソク中で使用されるものと同じかまたは類似のものである。
【０００５】
ＥＰ５，９２２Ａ１には口唇化粧品が記載されており、そのワックスは口紅に有用であり、ロウソクに有用なものに関連するとされている。
【０００６】
米国特許第５，８７９，６９４号明細書には、透明なゲルロウソクが組成および構造の両方について詳細に記載されている。酸化防止剤としてのＢＨＴの使用が述べられている。
【０００７】
１９９８年４月１６日の全国ロウソク協会技術会議（National Candle Association Technical Meeting）において、F. A. Ballentineらが、「ＣＹＡＳＯＲＢ（登録商標）光吸収剤での着色ロウソクの退色防止（Inhibiting Color Fading of Dyed Candles with CYASORB（登録商標）Light Absorbers）」と題する論文を発表し、その中で、着色ロウソクワックスの色安定性に対する光吸収剤の効果に関するデータと共に、熱酸化と光劣化の一般的な理論について論述した。比較された光吸収剤は、４−オクチルオキシ−２−ヒドロキシベンゾフェノン  ＵＶ−５３１；４−メトキシ−２−ヒドロキシベンゾフェノン  ＵＶ−９；２−（２−ヒドロキシ−５−メチルフェニル）−２Ｈ−ベンゾトリアゾール  ＵＶ−５３６５；２−（２−ヒドロキシ−５−ｔｅｒｔ−オクチルフェニル−２Ｈ−ベンゾトリアゾール  ＵＶ−５４１１および２−（２−ヒドロキシ−３，５−ジ−ｔｅｒｔ−アミルフェニル−２Ｈ−ベンゾトリアゾール  ＵＶ−２３３７である。
【０００８】
米国特許第５，９６４，９０５号は、トリブロック共重合体と高引火点の炭化水素油を含有する、着色芳香ロウソクゲルを教示している。可視光線又は紫外線への曝露時に、ロウソクの色の保存安定性を改善するために光（ＵＶ）吸収剤を使用しうることを、この参考文献は教示している。二つの好ましい吸収剤は、ｐ−メトキシケイ皮酸エチルヘキシル（ＰＡＲＳＯＬ（登録商標）ＭＣＸ、Ｒｏｃｈｅ）と２−（２−ヒドロキシ−５−ｔｅｒｔ−オクチルフェニル）−２Ｈ−ベンゾトリアゾール（ＣＹＡＳＯＲＢ（登録商標）５４１１、Ｃｙｔｅｃ）である。
【０００９】
ＷＯ００／２２０３７は、場合によりマロネート化合物構造の一部としてヒンダードアミン部分を含有してもよいマロネートＵＶ吸収剤を用いた、ロウソクを含む、固体の成形色付ワックス物品の安定化を教示している。ワックス物品は、種々の油溶性の染料および顔料で着色されたものである。ｐ−メトキシベンジリデンマロン酸ジメチルで保護された試料は、精選されたベンゾトリアゾールまたはベンゾフェノンＵＶ吸収剤で安定化された試料よりもより良い変色抵抗性を示した。
【００１０】
特開平３−２７８５５４号公報は、有機顔料で色付されたワックスクレヨン（描画用具）はヒンダードアミンおよび／またはベンゾトリアゾールで安定化できることを教示している。
【００１１】
ワックスの安定化に関して、精選されたヒンダードアミンおよび／またはベンゾトリアゾールＵＶ吸収剤を使用することはまた、米国特許第３，５３０，０８４号；第４，３７９，７２１号；第４，６１６，０５１号および第５，９６４，９０５号ならびに係属中の出願第０９／４９５，４９５号、第０９／４９５，４９６号および第０９／７４１，５８３号に見られるように、先行技術において公知である。
【００１２】
これらの文献のいずれも、ロウソクのワックスを安定化するために、ｓ−トリアジンＵＶ吸収剤を標準的なピペリジン系ヒンダードアミンおよび／または酸化防止剤と共に用いるときにもたらされる優れた性能を教示していない。
発明の目的
【００１３】
本発明の目的は、ｓ−トリアジンＵＶ吸収剤および標準的なピペリジン系ヒンダードアミンならびにＵＶ吸収剤および／または酸化防止剤のような任意的なさらなる成分の組み合わせで安定化された、白色無香；白色芳香；着色無香；着色芳香；浸染無香；または浸染芳香である、ロウソクのワックスを提供することである。
【００１４】
詳細な説明
本発明は、
（ａ）白色無香；白色芳香；着色無香；着色芳香；浸染無香；または浸染芳香である、ロウソクのワックス、ならびに
（ｂ）安定化に有効な量の、
（ｉ）式Ｉ、ＩＩ、ＩＩＩ、ＩＶ、ＶまたはＶＩ：
【００１５】
【化１０】
2004532306.tif 000002
2004532306.tif 000003
【００１６】
［式中、
ＸおよびＹは、独立に、フェニル、ナフチル、あるいは１〜３個の、炭素原子１〜６個のアルキル、ハロゲン、ヒドロキシ、炭素原子１〜６個のアルコキシ、またはそれらの混合により置換されている前記フェニルまたは前記ナフチルであり；あるいは独立にＺ1またはＺ2であり；
【００１７】
Ｒ1は、水素、直鎖もしくは分枝鎖の炭素原子１〜２４個のアルキル、炭素原子５〜１２個のシクロアルキル、炭素原子７〜１５個のフェニルアルキル、ハロゲン、−ＳＲ3、−ＳＯＲ3、または−ＳＯ2Ｒ3；あるいは１〜３個の、ハロゲン、−Ｒ4、−ＯＲ5、−Ｎ（Ｒ5）2、−ＣＯＲ5、−ＣＯＯＲ5、−ＯＣＯＲ5、−ＣＮ、−ＮＯ2、−ＳＲ5、−ＳＯＲ5、−ＳＯ2Ｒ5もしくは−Ｐ（Ｏ）（ＯＲ5）2、モルホリニル、ピペリジニル、２，２，６，６−テトラメチルピペリジニル、ピペラジニルもしくはＮ−メチルピペリジニル基またはそれらの組み合わせで置換されている前記アルキル、前記シクロアルキルまたは前記フェニルアルキル；あるいは１〜４個の、フェニレン、−Ｏ−、−ＮＲ5−、−ＣＯＮＲ5−、−ＣＯＯ−、−ＯＣＯ−もしくは−ＣＯ基またはそれらの組み合わせで中断されている前記アルキルまたは前記シクロアルキル；あるいは上記の基の組み合わせで置換および中断されている前記アルキルまたは前記シクロアルキル；
【００１８】
Ｒ3は、炭素原子１〜２０個のアルキル、炭素原子３〜１８個のアルケニル、炭素原子５〜１２個のシクロアルキル、炭素原子７〜１５個のフェニルアルキル、炭素原子６〜１０個のアリールまたは１〜２個の炭素原子１〜４個のアルキルで置換されている前記アリール；
【００１９】
Ｒ4は、炭素原子６〜１０個のアリール、あるいは１〜３個の、ハロゲン、炭素原子１〜８個のアルキル、炭素原子１〜８個のアルコキシもしくはそれらの組み合わせで置換されている前記アリール；炭素原子５〜１２個のシクロアルキル；炭素原子７〜１５個のフェニルアルキル、あるいは１〜３個の、ハロゲン、炭素原子１〜８個のアルキル、炭素原子１〜８個のアルコキシもしくはそれらの組み合わせでフェニル環が置換されている前記フェニルアルキル；あるいは直鎖もしくは分枝鎖の炭素原子２〜１８個のアルケニルであり；
【００２０】
Ｒ5は、Ｒ4と同義であり；あるいはＲ5はまた、水素または直鎖もしくは分枝鎖の炭素原子１〜２４個のアルキル、炭素原子２〜２４個のアルケニル；あるいはＲ5は、式：
【００２１】
【化１１】
2004532306.tif 000004
【００２２】
（Ｔは、水素、オキシル、ヒドロキシル、−ＯＴ1、炭素原子１〜２４個のアルキル、１〜３個のヒドロキシで置換されている前記アルキル；ベンジルまたは炭素原子２〜１８個のアルカノイルであり、Ｔ1は炭素原子１〜２４個のアルキル、炭素原子５〜１２個のシクロアルキル、炭素原子２〜２４個のアルケニル、炭素原子５〜１２個のシクロアルケニル、炭素原子７〜１５個のフェニルアルキル、炭素原子７〜１２個の飽和もしくは不飽和の二環性もしくは三環性炭化水素の基または炭素原子６〜１０のアリールあるいは１〜３個の炭素原子１〜４個のアルキルで置換されている前記アリール）で示される基であり；
【００２３】
Ｒ2は、水素、直鎖もしくは分枝鎖の炭素原子１〜２４個のアルキルまたは炭素原子５〜１２個のシクロアルキル；あるいは１〜４個の、ハロゲン、エポキシ、グリシジルオキシ、フリルオキシ、−Ｒ4、−ＯＲ5、−Ｎ（Ｒ5）2、−ＣＯＮ（Ｒ5）2、−ＣＯＲ5、−ＣＯＯＲ5、−ＯＣＯＲ5、−ＯＣＯＣ（Ｒ5）＝Ｃ（Ｒ5）2、−Ｃ（Ｒ5）＝ＣＣＯＯＲ5、−ＣＮ、−ＮＣＯ、もしくは
【００２４】
【化１２】
2004532306.tif 000005
【００２５】
またはそれらの組み合わせで置換されている前記アルキルまたは前記シクロアルキル；あるいは１〜４個の、エポキシ、−Ｏ−、−ＮＲ5−、−ＣＯＮＲ5−、−ＣＯＯ−、−ＯＣＯ−、−ＣＯ−、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−、フェニレンもしくはフェニレン−Ｇ−フェニレン（式中、Ｇは−Ｏ−、−Ｓ−、−ＳＯ2−、−ＣＨ2−または−Ｃ（ＣＨ3）2−）またはそれらの組み合わせで中断されている前記アルキルまたは前記シクロアルキル、あるいは上記の基の組み合わせで置換および中断されている前記アルキルまたは前記シクロアルキルであり；あるいはＲ2は、−ＳＯ2Ｒ3または−ＣＯＲ6であり；
【００２６】
Ｒ6は、直鎖もしくは分枝鎖の炭素原子１〜１８個のアルキル、直鎖もしくは分枝鎖の炭素原子２〜１２個のアルケニル、フェノキシ、炭素原子１〜１２個のアルキルアミノ、炭素原子６〜１２個のアリールアミノ、−Ｒ7ＣＯＯＨまたは−ＮＨ−Ｒ8−ＮＣＯであり；
【００２７】
Ｒ7は、炭素原子２〜１４個のアルキレンまたはフェニレンであり；
Ｒ8は、炭素原子２〜２４個のアルキレン、フェニレン、トリレン、ジフェニルメタンまたは基：
【００２８】
【化１３】
2004532306.tif 000006
【００２９】
であり；
【００３０】
Ｒ1、Ｒ1′およびＲ1″は、同一であるかまたは異なり、そしてＲ1と同義であり；
Ｒ2、Ｒ2′およびＲ2″は、同一であるかまたは異なり、そしてＲ2と同義であり；
Ｘ、Ｘ′、ＹおよびＹ′は、同一であるかまたは異なり、そしてＸおよびＹと同義であり；
ｔは、０〜９であり；
【００３１】
Ｌは、直鎖もしくは分枝鎖の炭素原子１〜１２個のアルキレン、炭素原子５〜１２個のシクロアルキレン、またはシクロヘキシレンもしくはフェニレンで置換または中断されているアルキレンであり；あるいはＬはベンジリデン；あるいはＬは、−Ｓ−、−Ｓ−Ｓ−、−Ｓ−Ｅ−Ｓ−、−ＳＯ−、−ＳＯ2−、−ＳＯ−Ｅ−ＳＯ−、−ＳＯ2−Ｅ−ＳＯ2−、−ＣＨ2−ＮＨ−Ｅ−ＮＨ−ＣＨ2−または
【００３２】
【化１４】
2004532306.tif 000007
【００３３】
であり；
Ｅは、炭素原子２〜１２個のアルキレン、炭素原子５〜１２個のシクロアルキレン、または炭素原子５〜１２個のシクロアルキレンで中断または終端されている前記アルキレンであり；
ｎは２，３または４であり；
【００３４】
ｎが２であるとき、Ｑは、直鎖もしくは分枝鎖の炭素原子２〜１６個のアルキレン；あるいは１〜３個のヒドロキシ基で置換されている前記アルキレン；あるいは１〜３個の、−ＣＨ＝ＣＨ−または−Ｏ−で中断されている前記アルキレン；あるいは上記の基の組み合わせで置換および中断されている前記アルキレンであり；あるいはＱは、キシリレンまたは基−ＣＯＮＨ−Ｒ8−ＮＨＣＯ−、−ＣＨ2ＣＨ（ＯＨ）ＣＨ2Ｏ−Ｒ9−ＯＣＨ2ＣＨ（ＯＨ）ＣＨ2−、−ＣＯ−Ｒ10−ＣＯ−、または−（ＣＨ2）mＣＯＯ−Ｒ11−ＯＯＣ−（ＣＨ2）m−（式中、ｍは１〜３である）；あるいはＱは、
【００３５】
【化１５】
2004532306.tif 000008
【００３６】
であり；
【００３７】
Ｒ9は、炭素原子２〜５０個のアルキレン；あるいは１〜１０個の、−Ｏ−、フェニレンまたは基−フェニレン−Ｇ−フェニレン（式中、Ｇは−Ｏ−、−Ｓ−、−ＳＯ2−、−ＣＨ2−または−Ｃ（ＣＨ3）2−である）で中断されている前記アルキレンであり；
Ｒ10は、炭素原子２〜１０個のアルキレン、または１〜４個の、−Ｏ−、−Ｓ−もしくは−ＣＨ＝ＣＨ−で中断されている前記アルキレンであり；あるいはＲ10は炭素原子６〜１２個のアリーレンであり；
Ｒ11は、炭素原子２〜２０個のアルキレンまたは１〜８個の−Ｏ−で中断されている前記アルキレンであり；
【００３８】
ｎが３であるとき、Ｑは、基−［（ＣＨ2）mＣＯＯ］3−Ｒ12（式中、ｍは１〜３であり、そしてＲ12は炭素原子３〜１２個のアルカントリイルである）であり；
ｎが４であるとき、Ｑは、基−［（ＣＨ2）mＣＯＯ］4−Ｒ13（式中、ｍは１〜３であり、およびＲ14は炭素原子４〜１２個のアルカンテトライルである）であり；
Ｚ1は、式：
【００３９】
【化１６】
2004532306.tif 000009
【００４０】
で示される基であり；
【００４１】
Ｚ2は、式：
【００４２】
【化１７】
2004532306.tif 000010
【００４３】
で示される基である
【００４４】
（式中、
ｒ1およびｒ2は、互いに独立に、０または１であり；
Ｒ14、Ｒ15、Ｒ16、Ｒ17、Ｒ18、Ｒ19、Ｒ20、Ｒ21、Ｒ22およびＲ23は、互いに独立に、水素、ヒドロキシ、シアノ、炭素原子１〜２０個のアルキル、炭素原子１〜２０個のアルコキシ、炭素原子７〜１５個のフェニルアルキル、炭素原子５〜１２個のシクロアルキル、炭素原子５〜１２個のシクロアルコキシ、ハロゲン、炭素原子１〜５個のハロアルキル、スルホ、カルボキシ、炭素原子２〜１２個のアシルアミノ、炭素原子２〜１２個のアシルオキシ、炭素原子２〜１２個のアルコキシカルボニルまたはアミノカルボニルであり；あるいはＲ17およびＲ18またはＲ22およびＲ23は、それらが結合しているフェニル基と一緒になって、１〜３個の、−Ｏ−または−ＮＲ5−で中断されている環状基である）］で示されるｓ−トリアジンＵＶ吸収剤；および
【００４５】
（ｉｉ）標準的なピペリジン系ヒンダードアミン
の組み合わせであって、（ｉ）の（ｉｉ）に対する重量比が１０：１〜１：１０である組み合わせ、
を含む組成物に関する。
【００４６】
本発明の他の実施態様においては、ｓ−トリアジンＵＶ吸収剤が、式Ｉで示されるものであり、式中、
ＸおよびＹは同一であるかまたは異なり、そしてフェニル、ナフチル、あるいは１〜３個の、炭素原子１〜６個のアルキル、ハロゲン、ヒドロキシまたは炭素原子１〜１２個のアルコキシで置換されている前記フェニルまたは前記ナフチル；あるいはＺ1またはＺ2であり；
Ｒ1は、水素、直鎖もしくは分枝鎖の炭素原子１〜２４個のアルキル、炭素原子５〜１２個のシクロアルキル、炭素原子７〜１５個のフェニルアルキルまたはハロゲンであり；
Ｒ2は、水素、直鎖もしくは分枝鎖の炭素原子１〜２４個のアルキルまたは炭素原子５〜１２個のシクロアルキル；あるいは１〜３個の、−Ｒ4、−ＯＲ5、−ＣＯＯＲ5、−ＯＣＯＲ5またはそれらの組み合わせで置換されている前記アルキルまたは前記シクロアルキル；あるいは１〜３個の、エポキシ、−Ｏ−、−ＣＯＯ−、−ＯＣＯ−または−ＣＯ−で中断されている前記アルキルまたはシクロアルキルであり；
Ｒ4は、炭素原子６〜１０個のアリール、あるいは１〜３個の、ハロゲン、炭素原子１〜８個のアルキル、炭素原子１〜８個のアルコキシもしくはそれらの組み合わせで置換されている前記アリール；炭素原子５〜１２個のシクロアルキル；炭素原子７〜１５個のフェニルアルキル、あるいは１〜３個の、ハロゲン、炭素原子１〜８個のアルキル、炭素原子１〜８個のアルコキシもしくはそれらの組み合わせでフェニル環が置換されている前記フェニルアルキルであり；
Ｒ5は、Ｒ4と同義であり；あるいはＲ5はまた、水素、直鎖もしくは分枝鎖の炭素原子１〜２４個のアルキルであり；
Ｚ1は、式：
【００４７】
【化１８】
2004532306.tif 000011
【００４８】
で示される基であり；
Ｚ2は、式：
【００４９】
【化１９】
2004532306.tif 000012
【００５０】
で示される基である
【００５１】
（式中、
ｒ1およびｒ2は各々１であり；そして
Ｒ14、Ｒ15、Ｒ16、Ｒ17、Ｒ18、Ｒ19、Ｒ20、Ｒ21、Ｒ22およびＲ23は、互いに独立に、水素、ヒドロキシ、シアノ、炭素原子１〜２０個のアルキル、炭素原子１〜２０個のアルコキシ、炭素原子７〜１５個のフェニルアルキル、炭素原子５〜１２個のシクロアルキル、炭素原子５〜１２個のシクロアルコキシ、ハロゲン、炭素原子１〜５個のハロアルキル、スルホ、カルボキシ、炭素原子２〜１２個のアシルアミノ、炭素原子２〜１２個のアシルオキシ、または炭素原子２〜１２個のアルコキシカルボニルあるいはアミノカルボニルである）、
ものである。
【００５２】
本発明のさらに他の実施態様においては、ｓ−トリアジンＵＶ吸収剤が、式ＩＩで示されるものであり、式中、
Ｘはフェニル、ナフチル、あるいは１〜３個の、炭素原子１〜６個のアルキル、ハロゲン、ヒドロキシまたは炭素原子１〜６個のアルコキシまたはそれらの混合で置換されている前記フェニルまたは前記ナフチルであり；あるいはＸはＺ1であり；
Ｒ1およびＲ1は、独立に、Ｒ1と同義であり；そして
Ｒ2およびＲ2′は、独立に、Ｒ2と同義である、
ものである。
【００５３】
本発明の他の実施態様においては、ｓ−トリアジンＵＶ吸収剤が、式ＩＩＩで示されるものであり、式中、
Ｒ1、Ｒ1′およびＲ1″は、独立に、Ｒ1と同義であり；そして
Ｒ2、Ｒ2′およびＲ2″は、独立に、Ｒ2と同義である、
ものである。
【００５４】
本発明のさらに他の実施態様においては、ｓ−トリアジンＵＶ吸収剤が、式ＶＩで示されるものであり、式中、
ＸおよびＹは、独立に、フェニルあるいは１〜３個の、炭素原子１〜６個のアルキル、ハロゲン、ヒドロキシ、炭素原子１〜６個のアルコキシ、またはそれらの混合により置換されている前記フェニルであり；あるいはＸおよびＹは独立に、Ｚ1またはＺ2であり；そして
Ｌは、直鎖もしくは分枝鎖の炭素原子１〜１２個のアルキレン、炭素原子５〜１２個のシクロアルキレンまたはシクロヘキシレンもしくはフェニレンで置換もしくは中断されているアルキレンである、
ものである。
【００５５】
本発明の他の実施態様は、式Ｉで示されるｓ−トリアジンＵＶ吸収剤を含み、式中、
ＸおよびＹは、同一であるかまたは異なり、そしてフェニルまたは１〜３個の炭素原子１〜６個のアルキルで置換されている前記フェニル；Ｚ1またはＺ2であり；
Ｒ1は、水素または炭素原子７〜１５個のフェニルアルキルであり；
Ｒ2は、水素、直鎖もしくは分枝鎖の炭素原子１〜１８個のアルキル；あるいは１〜３個の、−Ｒ4、−ＯＲ5またはそれらの混合で置換されている前記アルキル；あるいは１〜８個の、−Ｏ−または−ＣＯＯ−で中断されている前記アルキルであり；
Ｒ4は炭素原子６〜１０個のアリールであり；
Ｒ5は水素であり；
Ｚ1は式：
【００５６】
【化２０】
2004532306.tif 000013
【００５７】
で示される基であり；
Ｚ2は式：
【００５８】
【化２１】
2004532306.tif 000014
【００５９】
で示される基である
【００６０】
（式中、
ｒ1およびｒ2は各々１であり；そして
Ｒ14、Ｒ15、Ｒ16、Ｒ17、Ｒ18、Ｒ19、Ｒ20、Ｒ21、Ｒ22およびＲ23は各々水素である）。
【００６１】
本定義の一つに含まれるアルキル基として、定義された制限内で、例えば、メチル、エチル、プロピル、イソプロピル、ブチル、イソブチル、ｔｅｒｔ−ブチル、ペンチル、ヘキシル、ヘプチル、オクチル、ノニル、デシル、ウンデシル、ドデシル、トリデシル、テトラデシル、ペンタデシル、ヘキサデシルまたはオクタデシルが挙げられる。
【００６２】
炭素原子６〜１０個のアリールは、好ましくはフェニルまたはナフチル、特にフェニルである。アリーレンは好ましくはフェニレンである。
【００６３】
本発明において有用な特定のｓ−トリアジンＵＶ吸収剤として、
（ａ）２，４−ビス［２−ヒドロキシ−４−（３−ブチルオキシ−２−ヒドロキシプロポキシ）フェニル］−６−メシチル−ｓ−トリアジン；
（ｂ）２，４−ビス（２，４−ジメチルフェニル）−６−（２−ヒドロキシ−４−オクチルオキシフェニル）−ｓ−トリアジン、ＣＹＡＳＯＲＢ（登録商標）１１６４、Ｃｙｔｅｃ社；
（ｃ）２，４−ジフェニル−６−（２−ヒドロキシ−４−ヘキシルオキシフェニル）−ｓ−トリアジン；
（ｄ）２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン；
（ｅ）２，４−ビス（２，４−ジメチルフェニル）−６−［２−ヒドロキシ−４−（３−ド−／トリ−デシルオキシ−２−ヒドロキシプロポキシ）−５−α−クミルフェニル］−ｓ−トリアジン；
（ｆ）２，４，６−トリス（２，４−ジヒドロキシフェニル）−ｓ−トリアジンとα−ハロプロピオン酸イソオクチルとの反応生成物；
（ｇ）２−（２，４−ジブチルオキシフェニル）−４，６−ビス（２−ヒドロキシ−４−ブチルオキシフェニル）−ｓ−トリアジン；
（ｈ）２，４−ビス（４−ビフェニリル）−６−（２−ヒドロキシ−４−オクチルオキシカルボニルエチリデンオキシフェニル）−ｓ−トリアジン；
（ｉ）２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；
（ｊ）２，４−ビス（２，４−ジメチルフェニル）−６−［２−ヒドロキシ−４−（３−ベンジルオキシ−２−ヒドロキシプロピルオキシ）フェニル］−ｓ−トリアジン；
（ｋ）２，４−ビス（２−ヒドロキシ−４−ブチルオキシフェニル）−６−（２，４−ジ−ブチルオキシフェニル）−ｓ−トリアジン；
（ｌ）２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン（＊は、オクチルオキシ、ノニルオキシおよびデシルオキシ基の混合物を示す）；
（ｍ）メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝、５：４：１の比で３：５′、５：５′および３：３′位で架橋したメチレン架橋二量体混合物；
（ｎ）２，４，６−トリス（２−ヒドロキシ−４−イソオクチルオキシカルボニルイソプロピリデンオキシフェニル）−ｓ−トリアジン；
（ｏ）２，４−ビス（２，４−ジメチルフェニル）−６−（２−ヒドロキシ−４−ヘキシルオキシ−５−α−クミルフェニル）−ｓ−トリアジン；または
（ｐ）２，４，６−トリス［２−ヒドロキシ−４−（３−ｓｅｃ−ブチルオキシ−２−ヒドロキシプロピルオキシ）フェニル］−ｓ−トリアジンが挙げられる。
【００６４】
本発明の他の実施態様において、成分（ｂ）（ｉ）のｓ−トリアジンＵＶ吸収剤は、
（ａ）２，４−ビス［２−ヒドロキシ−４−（３−ブチルオキシ−２−ヒドロキシプロポキシ）フェニル］−６−メシチル−ｓ−トリアジン；
（ｆ）２，４，６−トリス（２，４−ジヒドロキシフェニル）−ｓ−トリアジンとα−ハロプロピオン酸イソオクチルとの反応生成物；
（ｈ）２，４−ビス（４−ビフェニリル）−６−（２−ヒドロキシ−４−オクチルオキシカルボニルエチリデンオキシフェニル）−ｓ−トリアジン；
（ｌ）２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン（＊は、オクチルオキシ、ノニルオキシおよびデシルオキシ基の混合物を示す）または
（ｎ）２，４，６−トリス（２−ヒドロキシ−４−イソオクチルオキシカルボニルイソプロピリデンオキシフェニル）−ｓ−トリアジンである。
【００６５】
本発明の他の実施態様において、（ｉ）の（ｉｉ）に対する重量比は、４：１〜１：４である。
さらに他の実施態様において、（ｉ）の（ｉｉ）に対する重量比は、２：１〜１：２である。
【００６６】
本発明のさらに他の実施態様においては、ロウソクのワックス中のｓ−トリアジンＵＶ吸収剤とヒンダードアミンの有効量は、ワックスを基準にして０．０１〜１０重量％である。
本発明の他の実施態様においては、ロウソクのワックス中のｓ−トリアジンＵＶ吸収剤とヒンダードアミンの有効量は、ワックスを基準にして０．１〜２重量％である。
本発明の他の実施態様においては、ロウソクのワックス中のｓ−トリアジンＵＶ吸収剤とヒンダードアミンの有効量は、ワックスを基準にして０．１〜０．５重量％である。
【００６７】
本発明において有用な標準的なピペリジン系ヒンダードアミンは、窒素原子が水素、アルキル、シクロアルキル、アシルまたはアシルオキシで置換されている置換２，２，６，６−テトラアルキルピペリジン部分を有するそれらの化合物である。
【００６８】
そのような標準的なピペリジン系ヒンダードアミンの代表的な例は、
（ａ）セバシン酸ビス（２，２，６，６−テトラメチルピペリジン−４−イル）、
（ｂ）セバシン酸ビス（１，２，２，６，６−ペンタメチルピペリジン−４−イル）、
（ｃ）（３，５−ジ−ｔｅｒｔ−ブチル−４−ヒドロキシベンジル）ブチルマロン酸ジ（１，２，２，６，６−ペンタメチルピペリジン−４−イル）、
（ｄ）４−ベンゾイルオキシ−２，２，６，６−テトラメチルピペリジン、
（ｅ）４−ステアリルオキシ−２，２，６，６−テトラメチルピペリジン、
（ｆ）ニトリロトリ酢酸トリス（２，２，６，６−テトラメチルピペリジン−４−イル）、
（ｇ）２，４−ジクロロ−６−ｔｅｒｔ−オクチルアミノ−ｓ−トリアジンと４，４′−ヘキサメチレンビス（アミノ−２，２，６，６−テトラメチルピペリジン）との重縮合生成物、
（ｈ）１−（２−ヒドロキシエチル）−２，２，６，６−テトラメチル−４−ヒドロキシピペリジンとコハク酸との重縮合生成物、
（ｉ）４，４′−ヘキサメチレンビス（アミノ−２，２，６，６−テトラメチルピペリジン）と１，２−ジブロモエタンとの重縮合生成物、
（ｊ）１，２，３，４−ブタンテトラカルボン酸テトラキス（２，２，６，６−テトラメチルピペリジン−４−イル）、
（ｋ）１，２，３，４−ブタンテトラカルボン酸テトラキス（１，２，２，６，６−ペンタメチルピペリジン−４−イル）、
（ｌ）２，４−ジクロロ−６−モルホリノ−ｓ−トリアジンと４，４′−ヘキサメチレンビス（アミノ−２，２，６，６−テトラメチルピペリジン）との重縮合生成物、
（ｍ）Ｎ，Ｎ′，Ｎ″，Ｎ″′−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン、
（ｎ）ビス（２，２，６，６−テトラメチルピペリジン−４−カルボン酸）オクタメチレン、
（ｏ）Ｎ−２，２，６，６−テトラメチルピペリジン−４−イル−ｎ−ドデシルスクシンイミド、
（ｐ）Ｎ−１，２，２，６，６−ペンタメチルピペリジン−４−イル−ｎ−ドデシルスクシンイミド、
（ｑ）Ｎ−１−アセチル−２，２，６，６−テトラメチルピペリジン−４−イル−ｎ−ドデシルスクシンイミド、
（ｒ）４−Ｃ15〜Ｃ17アルカノイルオキシ−２，２，６，６−テトラメチルピペリジン、
（ｓ）２，４−ジクロロ−６−シクロヘキシルアミノ−ｓ−トリアジンと４，４′−ヘキサメチレンビス（アミノ−２，２，６，６−テトラメチルピペリジン）との重縮合生成物、
（ｔ）１，５−ビス（２，２，６，６−テトラメチルピペリジン−４−イル）−１，５−ジアザ−４−オキソプロパン、
（ｕ）メタクリル酸メチル、アクリル酸エチルおよびアクリル酸２，２，６，６−テトラメチルピペリジン−４−イルのコポリマー、
（ｖ）Ｎ−オクタデシルマレイミド、スチレンおよびＮ−（２，２，６，６−テトラメチルピペリジン−４−イル）マレイミドのコポリマー、
（ｗ）イソシアヌル酸１，３，５−トリス［３−（２，２，６，６−ピペリジン−４−イルアミノ）−２−ヒドロキシ−プロピル）、
（ｘ）Ｎ−［２−（２，２，６，６−テトラメチルピペリジン−４−イル）オキサルアミド−１−イル］マレイミドに由来する単位を含有するオレフィンコポリマー、
（ｙ）２，２，４，４−テトラメチル−７−オキサ−３，２０−ジアザ−２１−オキソ−ジスピロ［５，１，１１，２］ヘンエイコサン、
（ｚ）３−（２，２，４，４−テトラメチル−７−オキサ−３，２０−ジアザ−２１−オキソ−ジスピロ［５，１，１１，２］ヘンエイコサン−２０−イル）プロピオン酸Ｃ12〜Ｃ14アルキル、
（ａａ）エピクロロヒドリンと２，２，４，４−テトラメチル−７−オキサ−３，２０−ジアザ−２１−オキソ−ジスピロ［５，１，１１，２］ヘンエイコサンとの反応生成物、
（ｂｂ）ブタンテトラカルボン酸１，３−ジ（２，２，６，６−テトラメチルピペリジン−４−イル）２，４−ジトリデシル、
（ｃｃ）ブタンテトラカルボン酸１，３−ジ（１，２，２，６，６−ペンタメチルピペリジン−４−イル）２，４−ジトリデシル、
（ｄｄ）３，９−ビス（１，１−ジメチル−２−ヒドロキシエチル）−２，４，８，１０−テトラオキサスピロ［５．５］ウンデカン、１，２，３，４−ブタンテトラカルボン酸テトラメチルおよび２，２，６，６−テトラメチル−４−ヒドロキシピペリジンの重縮合生成物、
（ｅｅ）３，９−ビス（１，１−ジメチル−２−ヒドロキシエチル）−２，４，８，１０−テトラオキサスピロ［５．５］ウンデカン、１，２，３，４−ブタンテトラカルボン酸テトラメチルおよび１，２，２，６，６−ペンタメチル−４−ヒドロキシピペリジンの重縮合生成物、
（ｆｆ）１，４−ビス（２，２，６，６−テトラメチルピペリジン−４−イル）−２，２−ジメチル−１，４−ジアザ−４−オキソプロパン、
（ｇｇ）４−アミノ−２，２，６，６−テトラメチルピペリジンとテトラメチロールアセチレンジウレアとの反応生成物、
（ｈｈ）１，６−ヘキサメチレンビス［Ｎ−ホルミル−Ｎ−（２，２，６，６−テトラメチルピペリジン−４−イル）アミン］、
（ｉｉ）Ｎ−（２，２，６，６−テトラメチルピペリジン−４−イル）マレイミドとＣ20〜Ｃ24−α−オレフィンとのコポリマー、
（ｊｊ）ポリ［３−（２，２，６，６−テトラメチルピペリジン−４−イルオキシ）プロピル−メチル−シロキサン］、
（ｋｋ）２，４−ジクロロ−６−［Ｎ−ブチル−Ｎ−（２，２，６，６−テトラメチルピペリジン−４−イル）アミノ］−ｓ−トリアジンと１，１０−ジアミノ−４，７−ジアザデカンとの重縮合生成物、または
（ｌｌ）３−（２，２，４，４−テトラメチル−７−オキサ−３，２０−ジアザ−２１−オキソ−ジスピロ［５，１，１１，２］ヘンエイコサン−２０−イル）プロピオン酸ドデシル、
よりなる群から選択される。
【００６９】
本発明の他の実施態様において、標準的なピペリジン系ヒンダードアミンは、
（ａ）セバシン酸ビス（２，２，６，６−テトラメチルピペリジン−４−イル）、
（ｂ）セバシン酸ビス（１，２，２，６，６−ペンタメチルピペリジン−４−イル）、
（ｃ）（３，５−ジ−ｔｅｒｔ−ブチル−４−ヒドロキシベンジル）ブチルマロン酸ジ（１，２，２，６，６−ペンタメチルピペリジン−４−イル）、
（ｇ）２，４−ジクロロ−６−ｔｅｒｔ−オクチルアミノ−ｓ−トリアジンと４，４′−ヘキサメチレンビス（アミノ−２，２，６，６−テトラメチルピペリジン）との重縮合生成物、
（ｈ）１−（２−ヒドロキシエチル）−２，２，６，６−テトラメチル−４−ヒドロキシピペリジンとコハク酸との重縮合生成物、または
（ｍ）Ｎ，Ｎ′，Ｎ″，Ｎ″′−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン、
である。
【００７０】
本発明の他の実施態様においては、ベンゾトリアゾール、ベンゾフェノン類、α−シアノアクリレート類、オキサニリド類、シンナメート類、マロネート類、ベンゾエート類もしくはサリシレート類、またはそれらの混合物であるさらなるＵＶ吸収剤も示される。
本発明の他の実施態様においては、ＵＶ吸収剤はベンゾトリアゾール類またはベンゾフェノン類である。
【００７１】
本発明において有用なそのような追加的なＵＶ吸収剤の例は、
（ａ）４−オクチルオキシ−２−ヒドロキシベンゾフェノン；
（ｂ）４−メトキシ−２−ヒドロキシベンゾフェノン；
（ｃ）２−（２−ヒドロキシ−５−メチルフェニル）−２Ｈ−ベンゾトリアゾール；
（ｄ）２−（２−ヒドロキシ−５−ｔｅｒｔ−オクチルフェニル）−２Ｈ−ベンゾトリアゾール；
（ｅ）２−（２−ヒドロキシ−３，５−ジ−ｔｅｒｔ−アミルフェニル）−２Ｈ−ベンゾトリアゾール；
（ｆ）３−（ベンゾトリアゾール−２−イル）−５−ｔｅｒｔ−ブチル−４−ヒドロキシヒドロケイ皮酸オクチル；
（ｇ）２−（２−ヒドロキシ−３，５−ジ−ｔｅｒｔ−ブチルフェニル）−２Ｈ−ベンゾトリアゾール；
（ｈ）２−（２−ヒドロキシ−５−ｔｅｒｔ−ブチルフェニル）−２Ｈ−ベンゾトリアゾール；
（ｉ）５−クロロ−２−（２−ヒドロキシ−３，５−ジ−ｔｅｒｔ−ブチルフェニル）−２Ｈ−ベンゾトリアゾール；
（ｊ）５−クロロ−２−（２−ヒドロキシ−３−ｔｅｒｔ−ブチル−５−メチルフェニル）−２Ｈ−ベンゾトリアゾール；
（ｋ）２−（２−ヒドロキシ−３−ｓｅｃ−ブチル−５−ｔｅｒｔ−ブチルフェニル）−２Ｈ−ベンゾトリアゾール；
（ｌ）２−（２−ヒドロキシ−４−オクチルオキシフェニル）−２Ｈ−ベンゾトリアゾール；
（ｍ）２−（２−ヒドロキシ−３−ドデシル−５−メチルフェニル）−２Ｈ−ベンゾトリアゾール；
（ｎ）２−［２−ヒドロキシ−３，５−ジ（α，α−ジメチルベンジル）フェニル］−２Ｈ−ベンゾトリアゾール；
（ｏ）２−［２−ヒドロキシ−３−（α，α−ジメチルベンジル）−５−ｔｅｒｔ−オクチルフェニル］−２Ｈ−ベンゾトリアゾール；
（ｐ）２−｛２−ヒドロキシ−３−ｔｅｒｔ−ブチル−５−［２−（ω−ヒドロキシ−オクタ（エチレンオキシ）カルボニル）エチル］フェニル｝−２Ｈ−ベンゾトリアゾール；
（ｑ）２−｛２−ヒドロキシ−３−ｔｅｒｔ−ブチル−５−［２−（オクチルオキシ）カルボニル）エチル］フェニル｝−２Ｈ−ベンゾトリアゾール；
（ｒ）ｐ−メトキシケイ皮酸２−エチルヘキシル
（ｓ）４−メトキシ−２，２′−ジヒドロキシベンゾフェノン；または
（ｔ）４，４−ジ−メトキシ−２，２′−ジヒドロキシベンゾフェノン
である。
【００７２】
本発明において有用なＵＶ吸収剤のさらに他の例は、
（ａ）４−オクチルオキシ−２−ヒドロキシベンゾフェノン；
（ｂ）４−メトキシ−２−ヒドロキシベンゾフェノン；
（ｄ）２−（２−ヒドロキシ−５−ｔｅｒｔ−オクチルフェニル）−２Ｈ−ベンゾトリアゾール；
（ｏ）２−［２−ヒドロキシ−３−（α，α−ジメチルベンジル）−５−ｔｅｒｔ−オクチルフェニル］−２Ｈ−ベンゾトリアゾール；
（ｐ）２−｛２−ヒドロキシ−３−ｔｅｒｔ−ブチル−５−［２−（ω−ヒドロキシ−オクタ（エチレンオキシ）カルボニル）エチル］フェニル｝−２Ｈ−ベンゾトリアゾール；
または
（ｑ）２−｛２−ヒドロキシ−３−ｔｅｒｔ−ブチル−５−［２−（オクチルオキシ）カルボニル）エチル］フェニル｝−２Ｈ−ベンゾトリアゾール
である。
【００７３】
本発明の他の実施態様は、フェノール系酸化防止剤、ホスファイト、ニトロン、アミンオキシドまたはヒドロキシルアミンまたはそれらの混合物である酸化防止剤が同じく存在する組成物を含む。
【００７４】
上記の実施態様の例では、ヒンダードアミン化合物および酸化防止剤と一緒にしたｓ−トリアジンＵＶ吸収剤の有効量が、ワックスを基準にして０．０１〜１０重量％である。
他の実施態様では、ヒンダードアミン化合物および酸化防止剤と一緒にしたｓ−トリアジンＵＶ吸収剤の有効量が、ワックスを基準にして０．１〜２重量％である。
さらに他の実施態様では、ヒンダードアミン化合物および酸化防止剤と一緒にしたｓ−トリアジンＵＶ吸収剤の有効量が、ワックスを基準にして０．１〜０．５重量％である。
【００７５】
本発明において有用な酸化防止剤の例は、
３，５−ジ−ｔｅｒｔ−ブチル−４−ヒドロキシヒドロケイ皮酸ｎ−オクタデシル、
テトラキス（３，５−ジ−ｔｅｒｔ−ブチル−４−ヒドロキシヒドロケイ皮酸）ネオペンタンテトライル、
３，５−ジ−ｔｅｒｔ−ブチル−４−ヒドロキシベンジルホスホン酸ジ−ｎ−オクタデシル、
イソシアヌル酸１，３，５−トリス（３，５−ジ−ｔｅｒｔ−ブチル−４−ヒドロキシベンジル）、
ビス（３，５−ジ−ｔｅｒｔ−ブチル−４−ヒドロキシヒドロケイ皮酸）チオジエチレン、
１，３，５−トリメチル−２，４，６−トリス（３，５−ジ−ｔｅｒｔ−ブチル−４−ヒドロキベンジル）ベンゼン、
ビス（３−メチル−５−ｔｅｒｔ−ブチル−４−ヒドロキシヒドロケイ皮酸）３，６−ジオキサオクタメチレン、
２，６−ジ−ｔｅｒｔ−ブチル−ｐ−クレゾール、
２，２′−エチリデン−ビス（４，６−ジ−ｔｅｒｔ−ブチルフェノール）、
イソシアヌル酸１，３，５−トリス（２，６−ジメチル−４−ｔｅｒｔ−ブチル−３−ヒドロキベンジル）、
１，１，３−トリス（２−メチル−４−ヒドロキシ−５−ｔｅｒｔ−ブチルフェニル）ブタン、
イソシアヌル酸１，３，５−トリス［２−（３，５−ジ−ｔｅｒｔ−ブチル−４−ヒドロキヒドロシンナモイルオキシ）エチル］、
３，５−ジ−（３，５−ジ−ｔｅｒｔ−ブチル−４−ヒドロキシベンジル）メシトール、
ビス（３，５−ジ−ｔｅｒｔ−ブチル−４−ヒドロキシヒドロケイ皮酸）ヘキサメチレン、
１−（３，５−ジ−ｔｅｒｔ−ブチル−４−ヒドロキシアニリノ）−３，５−ジ（オクチルチオ）−ｓ−トリアジン、
Ｎ，Ｎ′−ヘキサメチレン−ビス（３，５−ジ−ｔｅｒｔ−ブチル−４−ヒドロキシヒドロシンナムアミド）
ビス（３，５−ジ−ｔｅｒｔ−ブチル−４−ヒドロキシベンジルホスホン酸エチル）カルシウム、
ビス［３，３−ジ（３−ｔｅｒｔ−ブチル−４−ヒドロキシフェニル）酪酸］エチレン、
３，５−ジ−ｔｅｒｔ−ブチル−４−ヒドロキシベンジルメルカプト酢酸オクチル、
ビス（３，５−ジ−ｔｅｒｔ−ブチル−４−ヒドロキシヒドロシンナモイル）ヒドラジド、
Ｎ，Ｎ−ジ−（Ｃ12〜Ｃ24アルキル）−Ｎ−メチル−アミンオキシド、または
ジ（水素化牛脂）アミンから直接酸化により製造されたＮ，Ｎ−ジアルキルヒドロキシルアミン
である。
【００７６】
本発明において有用な酸化防止剤のさらに他の実施態様は、
テトラキス（３，５−ジ−ｔｅｒｔ−ブチル−４−ヒドロキシヒドロケイ皮酸）ネオペンタンテトライル、
３，５−ジ−ｔｅｒｔ−ブチル−４−ヒドロキシヒドロケイ皮酸ｎ−オクタデシル、
１，３，５−トリメチル−２，４，６−トリス（３，５−ジ−ｔｅｒｔ−ブチル−４−ヒドロキベンジル）ベンゼン、
イソシアヌル酸１，３，５−トリス（３，５−ジ−ｔｅｒｔ−ブチル−４−ヒドロキベンジル）、
２，６−ジ−ｔｅｒｔ−ブチル−ｐ−クレゾール、または
２，２′−エチリデン−ビス（４，６−ジ−ｔｅｒｔ−ブチルフェノール）
である。
【００７７】
ロウソクは多くの種々の成分を含有することが特記される。基本材料は、以下のものから構成されうる：
パラフィンワックス、
天然油、
ポリアミドおよび脂肪酸／エステル、
ステアリンのような脂肪酸、
乳白剤、
蜜蝋
グリセリドおよび酸化ワックス、
アルコール、ならびに
エチレンオリゴマー。
【００７８】
ロウソクはまた、以下のような多数の添加物を含有する：
離型剤、
香料、
防虫剤または殺虫剤、
硬化剤、
結晶改質剤、
清澄剤、
蝋垂れ減少剤、
着色剤、
凝固点（ｆ．ｐ．）調整剤、
伸縮性改善剤、
ゲル化剤、
押出し助剤、および
渦減少剤。
【００７９】
種々の成分は、それぞれ、適正な燃焼を保証し、チャネリングを減少させ、均一な溶融を助ける等のために、ロウソクの特性を調節しあるいは改質することを目的とする。着色剤および香料は、明らかに、適切な色、香り、または他の審美的な魅力を提供するために存在するのは明白である。
【００８０】
クリアガラスのように見えるが、伝統的なロウソクのように燃える、透明ゲルロウソクが重要になってきている。米国特許第５，８７９，６９４号で詳細に論じられているように（その関連部分は本明細書に参考として組み込まれる）、これらのゲルロウソクは、通常、ハードおよびソフトセグメントの両方を含有する少なくとも二つの熱力学的に非相溶性のセグメントから標準的に構成される、トリブロック、ラジアルブロック、ジブロックまたはマルチブロックコポリマーよりなる群から選択される共重合体を含有する。典型的なそのようなブロック共重合体は、スチレンモノマー単位とゴムモノマーまたはコモノマー単位のブロックセグメントからなるＫＲＡＴＯＮ（登録商標）（Shell Chemical Co.）である。ＫＲＡＴＯＮ（登録商標）Ｄシリーズで見出される最も一般的な構造は、スチレン−ブタジエン−スチレン（ＳＢＳ）またはスチレン−イソプレン−スチレン（ＳＩＳ）を有する線状のＡＢＡブロックである。
【００８１】
以下の例は、単に例示のためのものであって、本発明をいかなる形でも限定するものではない。
【００８２】
原材料
ワックス試料はCandle-Lite Corporationより提供された。これらの試料は染料および香料を含有していた。
ＵＶ吸収剤およびヒンダードアミン安定剤はCiba Speciality Chemicals Corporationより得られた。
【００８３】
試料調製
Candle-Lite Corporationより得られたワックス試料は、既に染料および香料（芳香）を含有していた。これらの場合、ワックスを溶融し、そして、適切な安定剤を溶融ワックスに添加し溶解した。次いで、安定化されたワックスを５個の直径４４ｍｍのアルミニウムパンに注ぎ入れ、５個のワックスディスクを得た。
【００８４】
試料曝露
各々のディスクの同等の三通りの試料を、試験試料はランプの下１２インチ（３０．４８ｃｍ）に置いて、６個の冷白色蛍光灯の列の下あるいは６個の波長３６８ｎｍのＵＶランプの列の下で曝露した。
染料の退色（または変色）は、６インチの積分球を有するマクベスカラーアイ分光光度計（Macbeth ColorEye Spectrophotmeter)により測定した。条件は、オブザーバー１０度、光源Ｄ６５、および視角８度であった。
【００８５】
最初の色測定は、上記のパラメーターを用いて行った。Ｌ、ａおよびｂの値は、ＣＩＥシステムを用いて、反射率の値から計算した。Ｙｌは、Ｌ、ａおよびｂの値から計算した。その後の測定は、特定の間隔で行った。デルタＬ、デルタａ、デルタｂおよびデルタＹｌの値は、単純に、最初の値と各々の間隔における値との差である。デルタ（Δ）Ｅは、以下のようにして計算した。
［（デルタＬ）２＋（デルタａ）２＋（デルタｂ）２］１／２＝デルタＥ
【００８６】
例１
２，４−ビス［２−ヒドロキシ−４−（３−ブチルオキシ−２−ヒドロキシプロポキシ）フェニル］−６−メシチル−ｓ−トリアジン
この化合物は、ＷＯ９９／６７２２６に記載の一般的な手法に従って、調製した。
【００８７】
例２
蛍光灯曝露下での、ピンクの芳香ロウソクワックスの退色
種々の異なる安定剤を、蛍光灯曝露下で、Candle-Lite Corporationより得られた、ピンクの芳香ロウソクワックスにおいて評価した。ΔＥ値は、表示曝露日数後の色変化を示している。低いΔＥ値は小さな色変化を示し、極めて望ましい。
【００８８】
試料＊                ３０日後の
（添加重量％）            ΔＥ
＿＿＿＿＿＿＿＿＿＿＿＿＿＿＿＿＿＿
ブランク（無添加）      １４．４７
Ｄ（０．３％）          １０．００
Ｂ（０．１５％）＋
Ｃ（０．１５％）          ８．９３
Ｂ（０．１５％）＋
Ｄ（０．１５％）          ３．４２
Ｅ（０．１５％）＋
Ｄ（０．１５％）          ３．０２
＊Ｂは、２−（２−ヒドロキシ−５−ｔｅｒｔ−オクチルフェニル）−２Ｈ−ベンゾトリアゾール（ＴＩＮＵＶＩＮ（登録商標）３２９、ＣＩＢＡ）である。
Ｃは、４−オクチルオキシ−２−ヒドロキシベンゾフェノン（ＣＨＩＭＡＳＳＯＲＢ（登録商標）８１、ＣＩＢＡ）である。
Ｄは、セバシン酸ビス（１，２，２，６，６−ペンタメチルピペリジン−４−イル）（ＴＩＮＵＶＩＮ（登録商標）２９２、ＣＩＢＡ）である。
Ｅは、２，４−ビス［２−ヒドロキシ−４−（３−ブチルオキシ−２−ヒドロキシプロポキシ）フェニル］−６−メシチル−ｓ−トリアジン（例１の化合物）である。
【００８９】
これらのデータは、標準的なヒンダードアミンと組み合わせたｓ−トリアジンＵＶ吸収剤（化合物Ｅ）が、ピンクの芳香ロウソクワックスを望ましくない変色から、従来の安定剤系よりもはるかに良好に保護することを示した。
【００９０】
例３
ＵＶランプ曝露下での、ピンクの芳香ロウソクワックスの退色
種々の異なる安定剤を、ＵＶランプ曝露下で、Candle-Lite Corporationより得られたピンクの芳香ロウソクワックスにおいて評価した。ΔＥ値は、表示曝露日数後の色変化を示している。低いΔＥ値は小さな色変化を示し、極めて望ましい。
【００９１】
試料＊                ３２日後の
（添加重量％）            ΔＥ
＿＿＿＿＿＿＿＿＿＿＿＿＿＿＿＿＿＿
ブランク（無添加）      ２１．１０
Ｄ（０．３％）          １６．２４
Ｂ（０．１５％）＋
Ｃ（０．１５％）        １１．１５
Ａ（０．１５％）＋
Ｄ（０．１５％）          ９．８４
Ｅ（０．１５％）＋
Ｄ（０．１５％）          ５．２７
＊Ａは、３−（ベンゾトリアゾール−２−イル）−５−ｔｅｒｔ−ブチル−４−ヒドロキシヒドロケイ皮酸オクチル（ＴＩＮＵＶＩＮ（登録商標）３８４、ＣＩＢＡ）である。
Ｂは、２−（２−ヒドロキシ−５−ｔｅｒｔ−オクチルフェニル）−２Ｈ−ベンゾトリアゾール（ＴＩＮＵＶＩＮ（登録商標）３２９、ＣＩＢＡ）である。
Ｃは、４−オクチルオキシ−２−ヒドロキシベンゾフェノン（ＣＨＩＭＡＳＳＯＲＢ（登録商標）８１、ＣＩＢＡ）である。
Ｄは、セバシン酸ビス（１，２，２，６，６−ペンタメチルピペリジン−４−イル）（ＴＩＮＵＶＩＮ（登録商標）２９２、ＣＩＢＡ）である。
Ｅは、２，４−ビス［２−ヒドロキシ−４−（３−ブチルオキシ−２−ヒドロキシプロポキシ）フェニル］−６−メシチル−ｓ−トリアジン（例１の化合物）である。
【００９２】
これらのデータは、標準的なヒンダードアミンと組み合わせたｓ−トリアジンＵＶ吸収剤（化合物Ｅ）が、ピンクの芳香ロウソクワックスを望ましくない変色から、従来の安定剤系よりもはるかに良好に保護することを示した。
【００９３】
例４
蛍光灯曝露下での、灰色の芳香ロウソクワックスの退色
種々の異なる安定剤を、蛍光灯曝露下で、Candle-Lite Corporationより得られた、灰色の芳香ロウソクワックスにおいて評価した。ΔＥ値は、表示曝露日数後の色変化を示している。低いΔＥ値は小さな色変化を示し、極めて望ましい。
【００９４】
試料＊                ２９日後の
（添加重量％）            ΔＥ
＿＿＿＿＿＿＿＿＿＿＿＿＿＿＿＿＿＿
ブランク（無添加）      １５．７２
Ｆ（０．３％）          １１．５７
Ａ（０．３％）            ９．８８
Ｂ（０．１５％）＋
Ｃ（０．１５％）          ８．０１
Ａ（０．１５％）＋
Ｆ（０．１５％）          ３．２０
Ｅ（０．１５％）＋
Ｄ（０．１５％）          ２．５１
＊Ａは、３−（ベンゾトリアゾール−２−イル）−５−ｔｅｒｔ−ブチル−４−ヒドロキシヒドロケイ皮酸オクチル（ＴＩＮＵＶＩＮ（登録商標）３８４、ＣＩＢＡ）である。
Ｂは、２−（２−ヒドロキシ−５−ｔｅｒｔ−オクチルフェニル）−２Ｈ−ベンゾトリアゾール（ＴＩＮＵＶＩＮ（登録商標）３２９、ＣＩＢＡ）である。
Ｃは、４−オクチルオキシ−２−ヒドロキシベンゾフェノン（ＣＨＩＭＡＳＯＲＢ（登録商標）８１、ＣＩＢＡ）である。
Ｄは、セバシン酸ビス（１，２，２，６，６−ペンタメチルピペリジン−４−イル）（ＴＩＮＵＶＩＮ（登録商標）２９２、ＣＩＢＡ）である。
Ｅは、２，４−ビス［２−ヒドロキシ−４−（３−ブチルオキシ−２−ヒドロキシプロポキシ）フェニル］−６−メシチル−ｓ−トリアジン（例１の化合物）である。
Ｆは、セバシン酸ビス（１−オクチルオキシ−２，２，６，６−テトラメチルピペリジン−４−イル）（ＴＩＮＵＶＩＮ（登録商標）１２３、ＣＩＢＡ）である。
【００９５】
これらのデータは、標準的なヒンダードアミンと組み合わせたｓ−トリアジンＵＶ吸収剤（化合物Ｅ）が、灰色の芳香ロウソクワックスを望ましくない変色から、従来の安定剤系よりもはるかに良好に保護することを示した。
【００９６】
例５
ＵＶランプ曝露下での、灰色の芳香ロウソクワックスの退色
種々の異なる安定剤を、ＵＶランプ曝露下で、Candle-Lite Corporationより得られた、灰色の芳香ロウソクワックスにおいて評価した。ΔＥ値は、表示曝露日数後の色変化を示している。低いΔＥ値は小さな色変化を示し、極めて望ましい。
【００９７】
試料＊                ２３日後の
（添加重量％）            ΔＥ
＿＿＿＿＿＿＿＿＿＿＿＿＿＿＿＿＿＿
ブランク（無添加）      ３０．０７
Ｅ（０．１５％）＋
Ｄ（０．１５％）          ４．０７
Ｄは、セバシン酸ビス（１，２，２，６，６−ペンタメチルピペリジン−４−イル）（ＴＩＮＵＶＩＮ（登録商標）２９２、ＣＩＢＡ）である。
Ｅは、２，４−ビス［２−ヒドロキシ−４−（３−ブチルオキシ−２−ヒドロキシプロポキシ）フェニル］−６−メシチル−ｓ−トリアジン（例１の化合物）である。
【００９８】
これらのデータは、標準的なヒンダードアミンと組み合わせたｓ−トリアジンＵＶ吸収剤（化合物Ｅ）が、灰色の芳香ロウソクワックスを望ましくない変色から保護することを示した。
【００９９】
例６
緑色の芳香ロウソクワックスは、セバシン酸ビス（２，２，６，６−テトラメチルピペリジン−４−イル）０．２重量％と組み合わせた２，４−ビス（ビフェニリル）−６−（２−ヒドロキシ−４−オクチルオキシカルボニルエチリデンオキシフェニル）−ｓ−トリアジン０．２重量％で良好に安定化された。
【０１００】
例７〜３４
以下の表に従って安定化されたロウソクのワックスを、例５に記載したようにＵＶ曝露に付した。結果を以下の表にまとめた。量は、ロウソクワックスを基準にして重量％で示した。
【０１０１】
【表１】
2004532306.tif 000015
【０１０２】
Ａは、３−（ベンゾトリアゾール−２−イル）−５−ｔｅｒｔ−ブチル−４−ヒドロキシヒドロケイ皮酸オクチル（ＴＩＮＵＶＩＮ（登録商標）３８４、ＣＩＢＡ）である。
Ｄは、セバシン酸ビス（１，２，２，６，６−ペンタメチルピペリジン−４−イル）（ＴＩＮＵＶＩＮ（登録商標）２９２、ＣＩＢＡ）であり；
Ｅは、２，４−ビス［２−ヒドロキシ−４−（３−ブチルオキシ−２−ヒドロキシプロポキシ）フェニル］−６−メシチル−ｓ−トリアジンであり；
Ｇは、２−フェニル−４−［３−ｓｅｃ−ブチルオキシ−２−ヒドロキシプロピルオキシ）フェニル］−６−［２−ヒドロキシ−４−（ｓｅｃ−アミルオキシ−２−ヒドロキシプロピルオキシ）フェニル］−ｓ−トリアジンであり；
Ｈは、セバシン酸ビス（２，２，６，６−テトラメチルピペリジン−４−イル）であり；
Ｊは、２，４−ビス（２，４−ジメチルフェニル）−６−［２−ヒドロキシ−４−（３−ベンジルオキシ−２−ヒドロキシプロピルオキシ）フェニル］−ｓ−トリアジンであり；
Ｋは、（３，５−ジ−ｔｅｒｔ−ブチル−４−ヒドロキシベンジル）ブチルマロン酸ジ（１，２，２，６，６−ペンタメチルピペリジン−４−イル）であり；
Ｌは、２，４−ビス（２−ヒドロキシ−４−ブチルオキシフェニル）−６−（２，４−ジ−ブチルオキシフェニル）−ｓ−トリアジンであり；
Ｍは、４−ベンゾイルオキシ−２，２，６，６−テトラメチルピペリジンであり；
Ｎは、２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン（＊は、オクチルオキシ、ノニルオキシおよびデシルオキシ基の混合を示す）であり；
Ｏは、４−ステアリルオキシ−２，２，６，６−テトラメチルピペリジンであり；
Ｐは、メチレンビス−｛２，４−ビス（２，４−ジメチルフェニル）−６−［２−ヒドロキシ−４−（３−ブトキシ−２−ヒドロキシプロポキシ）フェニル］−ｓ−トリアジン｝、５：４：１の比で３：５′、５：５′および３：３′位でメチレンにより架橋した二量体混合物であり；
Ｑは、ニトリロトリ酢酸トリス（２，２，６，６−テトラメチルピペリジン−４−イル）であり；
Ｒは、２，４，６−トリス（２−ヒドロキシ−４−イソオクチルオキシカルボニルイソプロピリデンオキシフェニル）−ｓ−トリアジンであり；
Ｓは、２，４−ジクロロ−６−ｔｅｒｔ−オクチルアミノ−ｓ−トリアジンと４，４′−ヘキサメチレンビス（アミノ−２，２，６，６−テトラメチルピペリジン）であり；
Ｔは、２，４−ビス（２，４−ジメチルフェニル）−６−［２−ヒドロキシ−４−ヘキシルオキシ−５−α−クミルフェニル］−ｓ−トリアジンであり；
Ｕは、１−（２−ヒドロキシエチル）−２，２，６，６−テトラメチル−４−ヒドロキシピペリジンとコハク酸との重縮合生成物であり；
Ｖは、２，４−ビス（２，４−ジメチルフェニル）−６−（２−ヒドロキシ−４−オクチルオキシフェニル）−ｓ−トリアジンであり；
Ｗは、４，４′−ヘキサメチレンビス（アミノ−２，２，６，６−テトラメチルピペリジン）と１，２−ジブロモエタンとの重縮合生成物であり；
Ｘは、２−メシチル−４，６−ビス［２−ヒドロキシ−４−（３−ブチルオキシ−２−ヒドロキシプロピルオキシ）フェニル］−ｓ−トリアジンであり；
Ｙは、１，２，３，４−ブタンテトラカルボン酸テトラキス（２，２，６，６−テトラメチルピペリジン−４−イル）であり；
Ｚは、２，４，６−トリス［２−ヒドロキシ−４−（３−ｓｅｃ−ブチルオキシ−２−ヒドロキシプロピルオキシ）フェニル］−ｓ−トリアジンであり；
ＡＡは、１，２，３，４−ブタンテトラカルボン酸テトラキス（１，２，２，６，６−ペンタメチルピペリジン−４−イル）であり；
ＢＢは、２，４，６−トリス（２，４−ジヒドロキシフェニル）−ｓ−トリアジンとα−ハロプロピオン酸イソオクチルとの反応生成物であり；
ＣＣは、２，４−ジクロロ−６−モルホリノ−ｓ−トリアジンと４，４′−ヘキサメチレンビス（アミノ−２，２，６，６−テトラメチルピペリジン）との重縮合生成物であり；
ＤＤは、２，４−ビス［２−ヒドロキシ−４−（３−ブチルオキシ−２−ヒドロキシプロポキシ）フェニル］−６−メシチル−ｓ−トリアジンであり；
ＥＥは、Ｎ，Ｎ′，Ｎ″，Ｎ″′−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカンであり；
ＦＦは、ビス（２，２，６，６−テトラメチルピペリジン−４−カルボン酸）オクタメチレンであり；
ＧＧは、２，４−ジフェニル−６−（２−ヒドロキシ−４−ヘキシルオキシフェニル）−ｓ−トリアジンであり；
ＨＨは、Ｎ−２，２，６，６−テトラメチルピペリジン−４−イル−ｎ−ドデシルスクシンイミドであり；
ＩＩは、２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン（ＴＩＮＵＶＩＮ（登録商標）４００、ＣＩＢＡ）である。
ＪＪは、Ｎ−１，２，２，６，６−ペンタメチルピペリジン−４−イル−ｎ−ドデシルスクシンイミドであり；
ＫＫは、２，４−ビス（２，４−ジメチルフェニル）−６−［２−ヒドロキシ−４−（３−ド−／トリ−デシルオキシ−２−ヒドロキシプロポキシ）−５−α−クミルフェニル］−ｓ−トリアジンであり；
ＬＬは、Ｎ−１−アセチル−２，２，６，６−テトラメチルピペリジン−４−イル−ｎ−ドデシルスクシンイミドであり；
ＭＭは、２，４，６−トリス（２，４−ジヒドロキシフェニル）−ｓ−トリアジンとα−ハロプロピオン酸イソオクチルとの反応生成物であり；
ＮＮは、４−Ｃ15〜Ｃ17アルカノイルオキシ−２，２，６，６−テトラメチルピペリジンであり；
ＯＯは、２，４−ジクロロ−６−シクロヘキシルアミノ−ｓ−トリアジンと４，４′−ヘキサメチレンビス（アミノ−２，２，６，６−テトラメチルピペリジン）との重縮合生成物であり；
ＰＰは、１，５−ビス（２，２，６，６−テトラメチルピペリジン−４−イル）−１，５−ジアザ−４−オキソプロパンであり；
ＱＱは、メタクリル酸メチル、アクリル酸エチルおよびアクリル酸２，２，６，６−テトラメチルピペリジン−４−イルのコポリマーであり；
ＲＲは、２，２，４，４−テトラメチル−７−オキサ−３，２０−ジアザ−２１−オキソ−ジスピロ［５，１，１１，２］ヘンエイコサンであり；
ＳＳは、イソシアヌル酸１，３，５−トリス［３−（２，２，６，６−ピペリジン−４−イルアミノ）−２−ヒドロキシ−プロピル）であり；
ＴＴは、１−アセチル−２，２，６，６−テトラメチル−４，４−（１−オキサ−２，４−ジオキソ−３−ドデシルイミノテトラメチレン）ピペリジン（ＴＩＮＵＶＩＮ（登録商標）４４０、ＣＩＢＡ）であり；
ＵＵは、Ｎ−［２−（２，２，６，６−テトラメチルピペリジン−４−イル）オキサルアミド−１−イル］マレイミドに由来する単位を含有するオレフィンコポリマーであり；
ＶＶは、２，４−ビス（４−ビフェニリル）−６−（２−ヒドロキシ−４−オクチルオキシカルボニルエチリデンオキシフェニル）−ｓ−トリアジンであり；
ＷＷは、３−（２，２，４，４−テトラメチル−７−オキサ−３，２０−ジアザ−２１−オキソ−ジスピロ［５，１，１１，２］ヘンエイコサン−２０−イル）プロピオン酸Ｃ12〜Ｃ14アルキルであり；
ＸＸは、２−（２−ヒドロキシ−３−α−クミル−５−ｔｅｒｔ−オクチルフェニル）−２Ｈ−ベンゾトリアゾール（ＴＩＮＵＶＩＮ（登録商標）９２８、ＣＩＢＡ）であり；
ＹＹは、４−ベンゾイルオキシ−２，２，６，６−テトラメチルピペリジンであり；
ＺＺは、ジ（水素化牛脂）アミンから直接酸化により製造されたＮ，Ｎ−ジアルキルヒドロキシルアミンである。
【国際公開パンフレット】
2004532306.tif 000026
2004532306.tif 000027
2004532306.tif 000028
2004532306.tif 000029
2004532306.tif 000030
2004532306.tif 000031
2004532306.tif 000032
2004532306.tif 000033
2004532306.tif 000034
2004532306.tif 000035
2004532306.tif 000036
2004532306.tif 000037
2004532306.tif 000038
2004532306.tif 000039
2004532306.tif 000040
2004532306.tif 000041
2004532306.tif 000042
2004532306.tif 000043
2004532306.tif 000044
2004532306.tif 000045
2004532306.tif 000046
2004532306.tif 000047
2004532306.tif 000048
2004532306.tif 000049
2004532306.tif 000050
2004532306.tif 000051
2004532306.tif 000052
2004532306.tif 000053
2004532306.tif 000054
2004532306.tif 000055
2004532306.tif 000056
2004532306.tif 000057
2004532306.tif 000058
2004532306.tif 000059
2004532306.tif 000060
2004532306.tif 000061
2004532306.tif 000062
2004532306.tif 000063
2004532306.tif 000064
2004532306.tif 000065
2004532306.tif 000066
【手続補正書】
【提出日】平成14年10月29日(2002.10.29)
【手続補正１】
【補正対象書類名】特許請求の範囲
【補正対象項目名】全文
【補正方法】変更
【補正の内容】
【特許請求の範囲】
【請求項１】
（ａ）白色無香；白色芳香；着色無香；着色芳香；浸染無香；または浸染芳香である、ロウソクのワックスと、
（ｂ）安定剤として、
（ｉ）式Ｉ、ＩＩ、ＩＩＩ、ＩＶ、ＶまたはＶＩ：
【化１】
2004532306.tif 000067
2004532306.tif 000068
［式中、
ＸおよびＹは、独立に、フェニル、ナフチル、あるいは１〜３個の、炭素原子１〜６個のアルキル、ハロゲン、ヒドロキシ、炭素原子１〜６個のアルコキシ、またはそれらの混合物により置換されている前記フェニルまたは前記ナフチルであり；あるいはＸおよびＹは、独立に、Ｚ1またはＺ2であり；
Ｒ1は、水素、直鎖もしくは分枝鎖の炭素原子１〜２４個のアルキル、炭素原子５〜１２個のシクロアルキル、炭素原子７〜１５個のフェニルアルキル、ハロゲン、−ＳＲ3、−ＳＯＲ3、または−ＳＯ2Ｒ3；あるいは１〜３個の、ハロゲン、−Ｒ4、−ＯＲ5、−Ｎ（Ｒ5）2、−ＣＯＲ5、−ＣＯＯＲ5、−ＯＣＯＲ5、−ＣＮ、−ＮＯ2、−ＳＲ5、−ＳＯＲ5、−ＳＯ2Ｒ5もしくは−Ｐ（Ｏ）（ＯＲ5）2、モルホリニル、ピペリジニル、２，２，６，６−テトラメチルピペリジニル、ピペラジニルもしくはＮ−メチルピペリジニル基またはそれらの組み合わせで置換されている前記アルキル、前記シクロアルキルまたは前記フェニルアルキル；あるいは１〜４個の、フェニレン、−Ｏ−、−ＮＲ5−、−ＣＯＮＲ5−、−ＣＯＯ−、−ＯＣＯ−もしくは−ＣＯ基またはそれらの組み合わせで中断されている前記アルキルまたは前記シクロアルキル；あるいは上記の基の組み合わせで置換および中断されている前記アルキルまたは前記シクロアルキルであり；
Ｒ3は、炭素原子１〜２０個のアルキル、炭素原子３〜１８個のアルケニル、炭素原子５〜１２個のシクロアルキル、炭素原子７〜１５個のフェニルアルキル、炭素原子６〜１０個のアリールまたは１〜２個の炭素原子１〜４個のアルキルで置換されている前記アリールであり；
Ｒ4は、炭素原子６〜１０個のアリールまたは１〜３個の、ハロゲン、炭素原子１〜８個のアルキル、炭素原子１〜８個のアルコキシもしくはそれらの組み合わせで置換されている前記アリール；炭素原子５〜１２個のシクロアルキル；炭素原子７〜１５個のフェニルアルキル、または１〜３個の、ハロゲン、炭素原子１〜８個のアルキル、炭素原子１〜８個のアルコキシもしくはそれらの組み合わせでフェニル環が置換されている前記フェニルアルキル；あるいは直鎖もしくは分枝鎖の炭素原子２〜１８個のアルケニルであり；
Ｒ5は、Ｒ4と同義であり；あるいはＲ5はまた、水素または直鎖もしくは分枝鎖の炭素原子１〜２４個のアルキル、炭素原子２〜２４個のアルケニル；あるいはＲ5は、式：
【化２】
2004532306.tif 000069
（Ｔは、水素、オキシル、ヒドロキシル、−ＯＴ1、炭素原子１〜２４個のアルキル、１〜３個のヒドロキシで置換されている前記アルキル；ベンジルまたは炭素原子２〜１８個のアルカノイルであり；
Ｔ1は、炭素原子１〜２４個のアルキル、炭素原子５〜１２個のシクロアルキル、炭素原子２〜２４個のアルケニル、炭素原子５〜１２個のシクロアルケニル、炭素原子７〜１５個のフェニルアルキル、炭素原子７〜１２個の飽和もしくは不飽和の二環性もしくは三環性炭化水素の基または炭素原子６〜１０個のアリールあるいは１〜３個の炭素原子１〜４個のアルキルで置換されている前記アリール）で示される基であり）；
Ｒ2は、水素、直鎖もしくは分枝鎖の炭素原子１〜２４個のアルキルまたは炭素原子５〜１２個のシクロアルキル；あるいは１〜４個の、ハロゲン、エポキシ、グリシジルオキシ、フリルオキシ、−Ｒ4、−ＯＲ5、−Ｎ（Ｒ5）2、−ＣＯＮ（Ｒ5）2、−ＣＯＲ5、−ＣＯＯＲ5、−ＯＣＯＲ5、−ＯＣＯＣ（Ｒ5）＝Ｃ（Ｒ5）2、−Ｃ（Ｒ5）＝ＣＣＯＯＲ5、−ＣＮ、−ＮＣＯ、もしくは
【化３】
2004532306.tif 000070
またはそれらの組み合わせで置換されている前記アルキルまたは前記シクロアルキル；あるいは１〜４個の、エポキシ、−Ｏ−、−ＮＲ5−、−ＣＯＮＲ5−、−ＣＯＯ−、−ＯＣＯ−、−ＣＯ−、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−、フェニレンもしくはフェニレン−Ｇ−フェニレン（式中、Ｇは−Ｏ−、−Ｓ−、−ＳＯ2−、−ＣＨ2−または−Ｃ（ＣＨ3）2−）またはそれらの組み合わせで中断されている前記アルキルまたは前記シクロアルキル、あるいは上記の基の組み合わせで置換および中断されている前記アルキルまたは前記シクロアルキルであり；あるいはＲ2は、−ＳＯ2Ｒ3または−ＣＯＲ6であり；
Ｒ6は、直鎖もしくは分枝鎖の炭素原子１〜１８個のアルキル、直鎖もしくは分枝鎖の炭素原子２〜１２個のアルケニル、フェノキシ、炭素原子１〜１２個のアルキルアミノ、炭素原子６〜１２個のアリールアミノ、−Ｒ7ＣＯＯＨまたは−ＮＨ−Ｒ8−ＮＣＯであり；
Ｒ7は、炭素原子２〜１４個のアルキレンまたはフェニレンであり；
Ｒ8は、炭素原子２〜２４個のアルキレン、フェニレン、トリレン、ジフェニルメタンまたは基：
【化４】
2004532306.tif 000071
であり；
Ｒ1、Ｒ1′およびＲ1″は、同一であるかまたは異なり、そしてＲ1と同義であり；
Ｒ2、Ｒ2′およびＲ2″は、同一であるかまたは異なり、そしてＲ2と同義であり；
Ｘ、Ｘ′、ＹおよびＹ′は、同一であるかまたは異なり、そしてＸおよびＹと同義であり；
ｔは、０〜９であり；
Ｌは、直鎖もしくは分枝鎖の炭素原子１〜１２個のアルキレン、炭素原子５〜１２個のシクロアルキレン、またはシクロヘキシレンもしくはフェニレンで置換もしくは中断されている前記アルキレンであり；あるいはＬはベンジリデン；あるいはＬは、−Ｓ−、−Ｓ−Ｓ−、−Ｓ−Ｅ−Ｓ−、−ＳＯ−、−ＳＯ2−、−ＳＯ−Ｅ−ＳＯ−、−ＳＯ2−Ｅ−ＳＯ2−、または−ＣＨ2−ＮＨ−Ｅ−ＮＨ−ＣＨ2−であり；
Ｅは、炭素原子１〜１２個のアルキレン、炭素原子５〜１２個のシクロアルキレン、または炭素原子５〜１２個のシクロアルキレンで中断または終端されている前記アルキレンであり；
ｎは、２，３または４であり；
ｎが２であるとき、Ｑは、直鎖もしくは分枝鎖の炭素原子２〜１６個のアルキレン；あるいは１〜３個のヒドロキシ基で置換されている前記アルキレン；あるいは１〜３個の、−ＣＨ＝ＣＨ−または−Ｏ−で中断されている前記アルキレン；あるいは上記の基の組み合わせで置換および中断されている前記アルキレンであり；あるいはＱは、キシリレンまたは基−ＣＯＮＨ−Ｒ8−ＮＨＣＯ−、−ＣＨ2ＣＨ（ＯＨ）ＣＨ2Ｏ−Ｒ9−ＯＣＨ2ＣＨ（ＯＨ）ＣＨ2−、−ＣＯ−Ｒ10−ＣＯ−、または−（ＣＨ2）mＣＯＯ−Ｒ11−ＯＯＣ−（ＣＨ2）m−（式中、ｍは１〜３である）；あるいはＱは、
【化５】
2004532306.tif 000072
であり；
Ｒ9は、炭素原子２〜５０個のアルキレン；あるいは１〜１０個の、−Ｏ−、フェニレンまたは基−フェニレン−Ｇ−フェニレン（式中、Ｇは−Ｏ−、−Ｓ−、−ＳＯ2−、−ＣＨ2−または−Ｃ（ＣＨ3）2−である）で中断されている前記アルキレンであり；
Ｒ10は、炭素原子２〜１０個のアルキレン、または１〜４個の、−Ｏ−、−Ｓ−もしくは−ＣＨ＝ＣＨ−で中断されている前記アルキレンであり；あるいはＲ10は炭素原子６〜１２個のアリーレンであり；
Ｒ11は、炭素原子２〜２０個のアルキレンまたは１〜８個の−Ｏ−で中断されている前記アルキレンであり；
ｎが３であるとき、Ｑは、基−［（ＣＨ2）mＣＯＯ］3−Ｒ12（式中、ｍは１〜３であり、そしてＲ12は炭素原子３〜１２個のアルカントリイルである）であり；
ｎが４であるとき、Ｑは、基−［（ＣＨ2）mＣＯＯ］4−Ｒ13（式中、ｍは１〜３であり、およびＲ14は炭素原子４〜１２個のアルカンテトライルである）であり；
Ｚ1は、式：
【化６】
2004532306.tif 000073
で示される基であり；
Ｚ2は、式：
【化７】
2004532306.tif 000074
で示される基である
（式中、
ｒ1およびｒ2は、互いに独立に、０または１であり；
Ｒ14、Ｒ15、Ｒ16、Ｒ17、Ｒ18、Ｒ19、Ｒ20、Ｒ21、Ｒ22およびＲ23は、互いに独立に、水素、ヒドロキシ、シアノ、炭素原子１〜２０個のアルキル、炭素原子１〜２０個のアルコキシ、炭素原子７〜１５個のフェニルアルキル、炭素原子５〜１２個のシクロアルキル、炭素原子５〜１２個のシクロアルコキシ、ハロゲン、炭素原子１〜５個のハロアルキル、スルホ、カルボキシ、炭素原子２〜１２個のアシルアミノ、炭素原子２〜１２個のアシルオキシ、炭素原子２〜１２個のアルコキシカルボニル、またはアミノカルボニルであり；あるいはＲ17およびＲ18またはＲ22およびＲ23は、それらが結合しているフェニル基と一緒になって、１〜３個の、−Ｏ−または−ＮＲ5−で中断されている環状基である）］で示されるｓ−トリアジンＵＶ吸収剤；および
（ｉｉ）窒素原子が水素、アルキル、シクロアルキル、アシルまたはアシルオキシで置換されている置換２，２，６，６−テトラアルキルピペリジン部分を有する、ピペリジン系ヒンダードアミン
の組み合わせであって、（ｉ）の（ｉｉ）に対する重量比が１０：１〜１：１０である組み合わせと、
を含む組成物。
【請求項２】
成分（ｂ）（ｉ）の化合物において、
ＸおよびＹは、同一であるかまたは異なり、そしてフェニル、ナフチル、あるいは１〜３個の、炭素原子１〜６個のアルキル、ハロゲン、ヒドロキシまたは炭素原子１〜１２個のアルコキシで置換されている前記フェニルまたは前記ナフチル；あるいはＺ1またはＺ2であり；
Ｌは、直鎖もしくは分枝鎖の炭素原子１〜１２個のアルキレン、炭素原子５〜１２個のシクロアルキレン、またはシクロヘキシレンもしくはフェニレンで置換もしくは中断されているアルキレンであり；
Ｒ1は、水素、直鎖もしくは分枝鎖の炭素原子１〜２４個のアルキル、炭素原子５〜１２個のシクロアルキル、炭素原子７〜１５個のフェニルアルキルまたはハロゲンであり；
Ｒ2は、水素、直鎖もしくは分枝鎖の炭素原子１〜２４個のアルキルまたは炭素原子５〜１２個のシクロアルキル；あるいは１〜３個の、−Ｒ4、−ＯＲ5、−ＣＯＯＲ5、−ＯＣＯＲ5またはそれらの組み合わせで置換されている前記アルキルまたは前記シクロアルキル；あるいは１〜３個の、エポキシ、−Ｏ−、−ＣＯＯ−、−ＯＣＯ−または−ＣＯ−で中断されている前記アルキルまたはシクロアルキル；あるいは上記の基の組み合わせで置換および中断されている前記アルキルであり；
Ｒ4は、炭素原子６〜１０個のアリール、または１〜３個の、ハロゲン、炭素原子１〜８個のアルキル、炭素原子１〜８個のアルコキシもしくはそれらの組み合わせで置換されている前記アリール；炭素原子５〜１２個のシクロアルキル；炭素原子７〜１５個のフェニルアルキル、または１〜３個の、ハロゲン、炭素原子１〜８個のアルキル、炭素原子１〜８個のアルコキシもしくはそれらの組み合わせでフェニル環が置換されている前記フェニルアルキルであり；
Ｒ5は、Ｒ4と同義であり；あるいはＲ5は、また、水素、直鎖もしくは分枝鎖の炭素原子１〜２４個のアルキルであり；
Ｚ1は、式：
【化８】
2004532306.tif 000075
で示される基であり；
Ｚ2は、式：
【化９】
2004532306.tif 000076
で示される基である
（式中、
ｒ1およびｒ2は各々１であり；そして
Ｒ14、Ｒ15、Ｒ16、Ｒ17、Ｒ18、Ｒ19、Ｒ20、Ｒ21、Ｒ22およびＲ23は、互いに独立に、水素、ヒドロキシ、シアノ、炭素原子１〜２０個のアルキル、炭素原子１〜２０個のアルコキシ、炭素原子７〜１５個のフェニルアルキル、炭素原子５〜１２個のシクロアルキル、炭素原子５〜１２個のシクロアルコキシ、ハロゲン、炭素原子１〜５個のハロアルキル、スルホ、カルボキシ、炭素原子２〜１２個のアシルアミノ、炭素原子２〜１２個のアシルオキシ、または炭素原子２〜１２個のアルコキシカルボニルあるいはアミノカルボニルである）、
請求項１に記載の組成物。
【請求項３】
成分（ｂ）（ｉ）の化合物が、式Ｉのｓ−トリアジンＵＶ吸収剤であり、式中、
ＸおよびＹは、同一であるかまたは異なり、フェニル、または１〜３個の炭素原子１〜６個のアルキルで置換されている前記フェニル；Ｚ1またはＺ2であり；
Ｒ1は、水素または炭素原子７〜１５個のフェニルアルキルであり；
Ｒ2は、水素、直鎖もしくは分枝鎖の炭素原子１〜１８個のアルキル；あるいは１〜３個の、−Ｒ4、−ＯＲ5またはそれらの混合物で置換されている前記アルキル；あるいは１〜８個の、−Ｏ−または−ＣＯＯ−で中断されている前記アルキル；あるいは上記の基の組み合わせで置換および中断されている前記アルキルであり；
Ｒ4は、炭素原子６〜１０個のアリールであり；
Ｒ5は水素であり；そして
Ｒ14、Ｒ15、Ｒ16、Ｒ17、Ｒ18、Ｒ19、Ｒ20、Ｒ21、Ｒ22およびＲ23は各々水素である、
請求項２に記載の組成物。
【請求項４】
成分（ｂ）（ｉ）の化合物が、
（ａ）２，４−ビス［２−ヒドロキシ−４−（３−ブチルオキシ−２−ヒドロキシプロポキシ）フェニル］−６−メシチル−ｓ−トリアジン；
（ｂ）２，４−ビス（２，４−ジメチルフェニル）−６−（２−ヒドロキシ−４−オクチルオキシフェニル）−ｓ−トリアジン；
（ｃ）２，４−ジフェニル−６−（２−ヒドロキシ−４−ヘキシルオキシフェニル）−ｓ−トリアジン；
（ｄ）２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン；
（ｅ）２，４−ビス（２，４−ジメチルフェニル）−６−［２−ヒドロキシ−４−（３−ド−／トリ−デシルオキシ−２−ヒドロキシプロポキシ）−５−α−クミルフェニル］−ｓ−トリアジン；
（ｆ）２，４，６−トリス（２，４−ジヒドロキシフェニル）−ｓ−トリアジンとα−ハロプロピオン酸イソオクチルとの反応生成物；
（ｇ）２−（２，４−ジブチルオキシフェニル）−４，６−ビス（２−ヒドロキシ−４−ブチルオキシフェニル）−ｓ−トリアジン；
（ｈ）２，４−ビス（４−ビフェニリル）−６−（２−ヒドロキシ−４−オクチルオキシカルボニルエチリデンオキシフェニル）−ｓ−トリアジン；
（ｉ）２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；
（ｊ）２，４−ビス（２，４−ジメチルフェニル）−６−［２−ヒドロキシ−４−（３−ベンジルオキシ−２−ヒドロキシプロピルオキシ）フェニル］−ｓ−トリアジン；
（ｋ）２，４−ビス（２−ヒドロキシ−４−ブチルオキシフェニル）−６−（２，４−ジ−ブチルオキシフェニル）−ｓ−トリアジン；
（ｌ）２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン（＊はオクチルオキシ、ノニルオキシおよびデシルオキシ基の混合物を示す）；
（ｍ）メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝、５：４：１の比で３：５′、５：５′および３：３′位で架橋したメチレン架橋二量体混合物；
（ｎ）２，４，６−トリス（２−ヒドロキシ−４−イソオクチルオキシカルボニルイソプロピリデンオキシフェニル）−ｓ−トリアジン；
（ｏ）２，４−ビス（２，４−ジメチルフェニル）−６−（２−ヒドロキシ−４−ヘキシルオキシ−５−α−クミルフェニル）−ｓ−トリアジン；または
（ｐ）２，４，６−トリス［２−ヒドロキシ−４−（３−ｓｅｃ−ブチルオキシ−２−ヒドロキシプロピルオキシ）フェニル］−ｓ−トリアジン、
であるｓ−トリアジンＵＶ吸収剤である、請求項１に記載の組成物。
【請求項５】
ロウソクのワックス中のｓ−トリアジンＵＶ吸収剤（ｉ）とヒンダードアミン（ｉｉ）の量が、ワックスを基準にして０．０１〜１０重量％である、請求項１に記載の組成物。
【請求項６】
成分（ｂ）（ｉｉ）のヒンダードアミンが、
（ａ）セバシン酸ビス（２，２，６，６−テトラメチルピペリジン−４−イル）、
（ｂ）セバシン酸ビス（１，２，２，６，６−ペンタメチルピペリジン−４−イル）、
（ｃ）（３，５−ジ−ｔｅｒｔ−ブチル−４−ヒドロキシベンジル）ブチルマロン酸ジ（１，２，２，６，６−ペンタメチルピペリジン−４−イル）、
（ｄ）４−ベンゾイルオキシ−２，２，６，６−テトラメチルピペリジン、
（ｅ）４−ステアリルオキシ−２，２，６，６−テトラメチルピペリジン、
（ｆ）ニトリロトリ酢酸トリス（２，２，６，６−テトラメチルピペリジン−４−イル）、
（ｇ）２，４−ジクロロ−６−ｔｅｒｔ−オクチルアミノ−ｓ−トリアジンと４，４′−ヘキサメチレンビス（アミノ−２，２，６，６−テトラメチルピペリジン）との重縮合生成物、
（ｈ）１−（２−ヒドロキシエチル）−２，２，６，６−テトラメチル−４−ヒドロキシピペリジンとコハク酸との重縮合生成物、
（ｉ）４，４′−ヘキサメチレンビス（アミノ−２，２，６，６−テトラメチルピペリジン）と１，２−ジブロモエタンとの重縮合生成物、
（ｊ）１，２，３，４−ブタンテトラカルボン酸テトラキス（２，２，６，６−テトラメチルピペリジン−４−イル）、
（ｋ）１，２，３，４−ブタンテトラカルボン酸テトラキス（１，２，２，６，６−ペンタメチルピペリジン−４−イル）、
（ｌ）２，４−ジクロロ−６−モルホリノ−ｓ−トリアジンと４，４′−ヘキサメチレンビス（アミノ−２，２，６，６−テトラメチルピペリジン）との重縮合生成物、
（ｍ）Ｎ，Ｎ′，Ｎ″，Ｎ″′−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン、
（ｎ）ビス（２，２，６，６−テトラメチルピペリジン−４−カルボン酸）オクタメチレン、
（ｏ）Ｎ−２，２，６，６−テトラメチルピペリジン−４−イル−ｎ−ドデシルスクシンイミド、
（ｐ）Ｎ−１，２，２，６，６−ペンタメチルピペリジン−４−イル−ｎ−ドデシルスクシンイミド、
（ｑ）Ｎ−１−アセチル−２，２，６，６−テトラメチルピペリジン−４−イル−ｎ−ドデシルスクシンイミド、
（ｒ）４−Ｃ15〜Ｃ17アルカノイルオキシ−２，２，６，６−テトラメチルピペリジン、
（ｓ）２，４−ジクロロ−６−シクロヘキシルアミノ−ｓ−トリアジンと４，４′−ヘキサメチレンビス（アミノ−２，２，６，６−テトラメチルピペリジン）との重縮合生成物、
（ｔ）１，５−ビス（２，２，６，６−テトラメチルピペリジン−４−イル）−１，５−ジアザ−４−オキソプロパン、
（ｕ）メタクリル酸メチル、アクリル酸エチルおよびアクリル酸２，２，６，６−テトラメチルピペリジン−４−イルのコポリマー、
（ｖ）Ｎ−オクタデシルマレイミド、スチレンおよびＮ−（２，２，６，６−テトラメチルピペリジン−４−イル）マレイミドのコポリマー、
（ｗ）イソシアヌル酸１，３，５−トリス［３−（２，２，６，６−ピペリジン−４−イルアミノ）−２−ヒドロキシ−プロピル）、
（ｘ）Ｎ−［２−（２，２，６，６−テトラメチルピペリジン−４−イル）オキサルアミド−１−イル］マレイミドに由来する単位を含有するオレフィンコポリマー、
（ｙ）２，２，４，４−テトラメチル−７−オキサ−３，２０−ジアザ−２１−オキソ−ジスピロ［５，１，１１，２］ヘンエイコサン、
（ｚ）３−（２，２，４，４−テトラメチル−７−オキサ−３，２０−ジアザ−２１−オキソ−ジスピロ［５，１，１１，２］ヘンエイコサン−２０−イル）プロピオン酸Ｃ12〜Ｃ14アルキル、
（ａａ）エピクロロヒドリンと２，２，４，４−テトラメチル−７−オキサ−３，２０−ジアザ−２１−オキソ−ジスピロ［５，１，１１，２］ヘンエイコサンとの反応生成物、
（ｂｂ）ブタンテトラカルボン酸１，３−ジ（２，２，６，６−テトラメチルピペリジン−４−イル）２，４−ジトリデシル、
（ｃｃ）ブタンテトラカルボン酸１，３−ジ（１，２，２，６，６−ペンタメチルピペリジン−４−イル）２，４−ジトリデシル、
（ｄｄ）３，９−ビス（１，１−ジメチル−２−ヒドロキシエチル）−２，４，８，１０−テトラオキサスピロ［５．５］ウンデカン、１，２，３，４−ブタンテトラカルボン酸テトラメチルおよび２，２，６，６−テトラメチル−４−ヒドロキシピペリジンの重縮合生成物、
（ｅｅ）３，９−ビス（１，１−ジメチル−２−ヒドロキシエチル）−２，４，８，１０−テトラオキサスピロ［５．５］ウンデカン、１，２，３，４−ブタンテトラカルボン酸テトラメチルおよび１，２，２，６，６−ペンタメチル−４−ヒドロキシピペリジンの重縮合生成物、
（ｆｆ）１，４−ビス（２，２，６，６−テトラメチルピペリジン−４−イル）−２，２−ジメチル−１，４−ジアザ−４−オキソプロパン、
（ｇｇ）４−アミノ−２，２，６，６−テトラメチルピペリジンとテトラメチロールアセチレンジウレアとの反応生成物、
（ｈｈ）１，６−ヘキサメチレンビス［Ｎ−ホルミル−Ｎ−（２，２，６，６−テトラメチルピペリジン−４−イル）アミン］、
（ｉｉ）Ｎ−（２，２，６，６−テトラメチルピペリジン−４−イル）マレイミドとＣ20〜Ｃ24−α−オレフィンとのコポリマー、
（ｊｊ）ポリ［３−（２，２，６，６−テトラメチルピペリジン−４−イルオキシ）プロピル−メチル−シロキサン］、
（ｋｋ）２，４−ジクロロ−６−［Ｎ−ブチル−Ｎ−（２，２，６，６−テトラメチルピペリジン−４−イル）アミノ］−ｓ−トリアジンと１，１０−ジアミノ−４，７−ジアザデカンとの重縮合生成物、または
（ｌｌ）３−（２，２，４，４−テトラメチル−７−オキサ−３，２０−ジアザ−２１−オキソ−ジスピロ［５，１，１１，２］ヘンエイコサン−２０−イル）プロピオン酸ドデシル、
である、請求項１に記載の組成物。
【請求項７】
成分（ｂ）（ｉｉｉ）として、ベンゾトリアゾール、ベンゾフェノン、α−シアノアクリレート、オキサニリド、シンナメート、マロネート、ベンゾエートもしくはサリシレート、またはそれらの混合物であるさらなるＵＶ吸収剤を、追加的に含有する、請求項１に記載の組成物。
【請求項８】
組成物が、フェノール系酸化防止剤、ホスファイト、ニトロン、アミンオキシドもしくはヒドロキシルアミン、またはそれらの混合物である酸化防止剤を、追加的に含有する、請求項１に記載の組成物。
【請求項９】
請求項１の組成物から製造されるロウソク。
【請求項１０】
白色無香；白色芳香；着色無香；着色芳香；浸染無香；または浸染芳香である、ロウソクのワックスを退色に対して安定化させる方法であって、
（ｉ）請求項１で定義された式Ｉ、ＩＩ、ＩＩＩ、ＩＶ、ＶまたはＶＩのｓ−トリアジンＵＶ吸収剤と、
（ｉｉ）窒素原子が水素、アルキル、シクロアルキル、アシルまたはアシルオキシで置換されている置換２，２，６，６−テトラアルキルピペリジン部分を有する、ピペリジン系ヒンダードアミンと、
の組み合わせを組み込み、（ｉ）の（ｉｉ）に対する重量比が１０：１〜１：１０である方法。
【請求項１１】
ロウソクのワックスを変色および退色に対して安定化させるための、請求項１で定義された式Ｉ、ＩＩ、ＩＩＩ、ＩＶ、ＶまたはＶＩのｓ−トリアジンＵＶ吸収剤と、窒素原子が水素、アルキル、シクロアルキル、アシルまたはアシルオキシで置換されている置換２，２，６，６−テトラアルキルピペリジン部分を有する、ピペリジン系ヒンダードアミンとの組み合わせの使用。
【国際調査報告】
2004532306.tif 000077
2004532306.tif 000078
2004532306.tif 000079
2004532306.tif 000080